(57)【要約】【課題】断熱性の向上を図ることができる冷蔵庫を提供することである。【解決手段】実施形態の冷蔵庫は、冷蔵庫本体と、扉とを持つ。前記冷蔵庫本体は、貯蔵室を含む。前記扉は、前記貯蔵室を開閉可能に閉じる。前記扉は、箱状の外郭部材と、内部部品と、断熱部材とを有する。前記内部部品は、発泡断熱材とは異なる部品であって前記外郭部材の内部に設けられている。前記断熱部材は、前記外郭部材の内部または前記外郭部材の少なくとも一部として設けられ、エアロゲル、キセロゲルまたはクライオゲルを含み、冷蔵庫を正面から見た場合に前記内部部品と重なる。【選択図】図５
2020143834.tif 000002
【特許請求の範囲】
【請求項１】
貯蔵室を含む冷蔵庫本体と、
前記貯蔵室を開閉可能に閉じる扉と、
を備え、
前記扉は、箱状の外郭部材と、発泡断熱材とは異なる部品であって前記外郭部材の内部に設けられた内部部品と、前記外郭部材の内部または前記外郭部材の少なくとも一部として設けられ、エアロゲル、キセロゲルまたはクライオゲルを含み、冷蔵庫を正面から見た場合に前記内部部品と重なる断熱部材とを有した、
冷蔵庫。
【請求項２】
前記外郭部材は、枠体と、前記枠体に取り付けられた前面板と、前記前面板とは反対側から前記枠体に取り付けられた後面部材とを含み、
前記内部部品は、前記前面板に沿って配置されており、
前記断熱部材は、前記内部部品と前記後面部材との間に配置されている、
請求項１に記載の冷蔵庫。
【請求項３】
前記内部部品は、前記外郭部材の内部で電子部品を収容したケースである、
請求項２に記載の冷蔵庫。
【請求項４】
前記断熱部材は、前記ケースの外形に沿って曲がった部分を含む、
請求項３に記載の冷蔵庫。
【請求項５】
前記内部部品は、電子部品であり、
前記断熱部材は、前記外郭部材の内部で前記電子部品を収容したケースである、
請求項２に記載の冷蔵庫。
【請求項６】
前記扉は、前記ケースと前記断熱部材とのうち少なくとも一方に取り付けられた第１部分と、前記前面板に取り付けられた第２部分と、前記第１部分と前記第２部分とを繋ぐとともに前記前面板から離れた第３部分とを含むテープ部材を有し、
前記断熱部材は、前記冷蔵庫を正面から見た場合に前記テープ部材の第３部分の少なくとも一部と重なる、
請求項３から請求項５のうちいずれか１項に記載の冷蔵庫。
【請求項７】
前記断熱部材は、前記扉の少なくとも一部において、前記内部部品と前記後面部材との間の空間を埋めている、
請求項２から請求項６のうちいずれか１項に記載の冷蔵庫。
【請求項８】
前記断熱部材は、前記内部部品の形状に応じて凹凸が形成された成形品である、
請求項７に記載の冷蔵庫。
【請求項９】
前記外郭部材は、枠体と、前記枠体に取り付けられたガラス板と、前記ガラス板とは反対側から前記枠体に取り付けられた後面部材とを含み、
前記断熱部材の少なくとも一部は、１つ以上の穴部を有して前記ガラス板に沿って配置されており、
前記扉は、前記外郭部材の内部に設けられた発泡断熱材を有し、
前記発泡断熱材は、前記１つ以上の穴部の内側で前記ガラス板に接合されている、
請求項１から請求項８のうちいずれか１項に記載の冷蔵庫。
【請求項１０】
貯蔵室を含む冷蔵庫本体と、
前記貯蔵室を開閉可能に閉じる扉と、
を備え、
前記扉は、箱状の外郭部材と、前記外郭部材に設けられた特定構造部と、前記外郭部材の内部または前記外郭部材の少なくとも一部として設けられ、エアロゲル、キセロゲルまたはクライオゲルを含み、冷蔵庫を正面から見た場合に前記特定構造部と重なる断熱部材とを有した、
冷蔵庫。
【請求項１１】
前記外郭部材は、枠体と、前記枠体に取り付けられた前面板と、前記前面板とは反対側から前記枠体に取り付けられた後面部材とを含み、
前記特定構造部は、前記後面部材に設けられ、前記扉の内部に向けて窪んでガスケットが取り付けられる窪みである、
請求項１０に記載の冷蔵庫。
【請求項１２】
前記後面部材は、前記窪みに対応して前記外郭部材の内部に突出した突出部を有し、
前記断熱部材は、前記外郭部材の内部で前記突出部の表面に沿うように設けられ、前記窪みの形状に対応して曲がった部分を含む、
請求項１１に記載の冷蔵庫。
【請求項１３】
前記断熱部材は、前記窪みの内部に設けられ、前記窪みの形状に対応して曲がった部分を含む、
請求項１１に記載の冷蔵庫。
【請求項１４】
前記特定構造部は、前記扉の上端部または下端部に設けられ、前記扉の内部に向けて窪んで前記扉を開くときにユーザが手を掛ける窪みである、
請求項１０に記載の冷蔵庫。
【請求項１５】
前記断熱部材は、前記窪みの形状に対応して曲がった部分を含む、
請求項１４に記載の冷蔵庫。
【請求項１６】
前記断熱部材の少なくとも一部は、前記貯蔵室と前記窪みとの間に位置する、
請求項１４または請求項１５に記載の冷蔵庫。
【請求項１７】
前記扉は、前記外郭部材の内部に設けられた真空断熱材を有し、
前記断熱部材は、前記冷蔵庫を正面から見た場合に、前記窪みと前記真空断熱材との間の領域の少なくとも一部を覆うようにして前記真空断熱材の少なくとも一部と重なる、
請求項１４から請求項１６のうちいずれか１項に記載の冷蔵庫。
【請求項１８】
前記扉は、前記外郭部材の内部に設けられた発泡断熱材を有し、
前記外郭部材は、枠体と、前記枠体に取り付けられた前面板と、前記前面板とは反対側から前記枠体に取り付けられた後面部材とを含み、
前記特定構造部は、前記後面部材に設けられ、前記扉が前記筐体に対して閉じられた状態で前記後面部材から前記貯蔵室に向けて突出した突出部であり、
前記断熱部材は、前記断熱部材のなかで前記冷蔵庫を正面から見た場合に前記突出部と重なる領域に、前記発泡断熱材の発泡時に前記発泡断熱材の一部が前記突出部の内部に向けて通過可能な１つ以上の穴部を有した、
請求項１０に記載の冷蔵庫。
【請求項１９】
前記扉は、前記筐体に対して前記扉を引き出し可能に支持するレールを有し、
前記外郭部材は、枠体と、前記枠体に取り付けられた前面板と、前記前面板とは反対側から前記枠体に取り付けられた後面部材とを含み、
前記特定構造部は、前記後面部材に設けられて前記レールが固定される固定部である、
請求項１０に記載の冷蔵庫。
【発明の詳細な説明】
【技術分野】
【０００１】
本発明の実施形態は、冷蔵庫に関する。
【背景技術】
【０００２】
断熱材を有した冷蔵庫が知られている。ところで、冷蔵庫は、さらなる断熱性の向上が期待されている。
【先行技術文献】
【特許文献】
【０００３】
【特許文献１】特開２００４−３４０１９４号公報
【発明の概要】
【発明が解決しようとする課題】
【０００４】
本発明が解決しようとする課題は、断熱性の向上を図ることができる冷蔵庫を提供することである。
【課題を解決するための手段】
【０００５】
実施形態の冷蔵庫は、冷蔵庫本体と、扉とを持つ。前記冷蔵庫本体は、貯蔵室を含む。前記扉は、前記貯蔵室を開閉可能に閉じる。前記扉は、箱状の外郭部材と、内部部品と、断熱部材とを有する。前記内部部品は、発泡断熱材とは異なる部品であって前記外郭部材の内部に設けられている。前記断熱部材は、前記外郭部材の内部または前記外郭部材の少なくとも一部として設けられ、エアロゲル、キセロゲルまたはクライオゲルを含み、冷蔵庫を正面から見た場合に前記内部部品と重なる。
【図面の簡単な説明】
【０００６】
【図１】第１実施形態の冷蔵庫を示す斜視図。
【図２】図１中に示された冷蔵庫のＦ２−Ｆ２線に沿う断面図。
【図３】第１実施形態の左冷蔵室扉を示す斜視図。
【図４】第１実施形態の操作パネルユニットと開動作操作ユニットを示す斜視図。
【図５】図３中に示された左冷蔵室扉のＦ５−Ｆ５線に沿う断面図。
【図６】図３中に示された左冷蔵室扉のＦ６−Ｆ６線に沿う断面図。
【図７】第１実施形態のテープ部材の一例を示す平面図。
【図８】第２実施形態の左冷蔵庫扉を示す断面図。
【図９】第３実施形態の左冷蔵庫扉を示す断面図。
【図１０】第４実施形態の左冷蔵庫扉を示す断面図。
【図１１】図１０中に示された左冷蔵庫扉のＦ１１−Ｆ１１線に沿う断面図。
【図１２】第５実施形態の左冷蔵庫扉を示す断面図。
【図１３】第６実施形態の左冷蔵庫扉を示す断面図。
【図１４】第７実施形態の左冷蔵庫扉を示す断面図。
【図１５】第８実施形態の左冷蔵庫扉を示す断面図。
【図１６】第９実施形態の左冷蔵庫扉を示す断面図。
【図１７】第１０実施形態の左冷蔵庫扉を示す断面図。
【図１８】第１１実施形態の左冷蔵庫扉を示す断面図。
【図１９】第１２実施形態の左冷蔵庫扉を示す断面図。
【図２０】図１９中に示された左冷蔵庫扉のＦ２０−Ｆ２０線に沿う断面図。
【図２１】第１２実施形態の左冷蔵庫扉の製造途中の状態を示す断面図。
【図２２】第１３実施形態の右冷蔵庫扉を示す断面図。
【図２３】第１４実施形態の右冷蔵庫扉を示す断面図。
【図２４】第１５実施形態の野菜室扉を示す斜視図。
【図２５】図２４中に示された野菜室扉のＦ２５−Ｆ２５線に沿う断面図。
【図２６】第１６実施形態の野菜室扉を示す断面図。
【図２７】第１７実施形態の野菜室扉を示す断面図。
【図２８】第１８実施形態の野菜室扉を示す断面図。
【図２９】図２８中に示された野菜室扉のＦ２９−Ｆ２９線に沿う断面図。
【図３０】第１９実施形態の主冷凍室扉を示す断面図。
【図３１】第２０実施形態の主冷凍室扉を示す断面図。
【図３２】第２１実施形態の主冷凍室扉を示す断面図。
【図３３】第２２実施形態の主冷凍室扉を示す断面図。
【図３４】実施形態の変形例の左冷蔵室扉を示す断面図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。本明細書において「横幅方向」とは、上記定義における左右方向を意味する。本明細書において「奥行方向」とは、上記定義における前後方向を意味する。図中において、＋Ｘ方向が右方向、−Ｘ方向が左方向、＋Ｙ方向が後方向、−Ｙ方向が前方向、＋Ｚ方向が上方向、−Ｚ方向が下方向である。
【０００８】
本明細書で「重なる」とは、少なくとも一部同士が重なる場合も含む。本明細書において「接する」とは、厳密な意味で直接接する場合に限定されず、接着剤や接着テープなどの接着層が間に存在する場合も含む。本明細書において「穴部」として説明される部分は、「切欠き」であってもよい。
【０００９】
（第１実施形態）
＜１．冷蔵庫の全体構成＞
図１から図７を参照し、第１実施形態の冷蔵庫１について説明する。まず、冷蔵庫１の全体構成について説明する。ただし、冷蔵庫１は、以下に説明する構成の全てを有する必要はなく、いくつかの構成が適宜省略されてもよい。
【００１０】
図１は、冷蔵庫１を示す斜視図である。図２は、図１中に示された冷蔵庫１のＦ２−Ｆ２線に沿う断面図である。図１および図２に示すように、冷蔵庫１は、例えば、筐体１０、複数の扉１１、複数の棚１２、複数の容器１３、流路形成部品１４、冷却ユニット１５、および制御基板１６を有する。本実施形態では、複数の扉１１以外の上記構成によって冷蔵庫本体５が形成されている。
【００１１】
筐体１０は、例えば、内箱１０ａと、外箱１０ｂと、発泡断熱材１０ｃとを含む。内箱１０ａは、筐体１０の内面を形成する部材であり、例えば合成樹脂製である。外箱１０ｂは、筐体１０の外面を形成する部材であり、例えば金属製である。外箱１０ｂは、内箱１０ａよりも一回り大きく形成されており、内箱１０ａの外側に配置されている。発泡断熱材１０ｃは、例えば発泡ウレタンのような発泡状の断熱材であり、内箱１０ａと外箱１０ｂとの間に充填されている。これにより、筐体１０は、断熱性を有する。
【００１２】
図１に示すように、筐体１０は、上壁２１、下壁２２、左右の側壁２３，２４、および後壁２５を有する。上壁２１および下壁２２は、略水平に広がっている。左右の側壁２３，２４は、下壁２２の左右の端部から上方に起立し、上壁２１の左右の端部に繋がる。後壁２５は、下壁２２の後端部から上方に起立し、上壁２１の後端部に繋がる。
【００１３】
筐体１０の内部には、複数の貯蔵室２７が設けられている。複数の貯蔵室２７は、例えば、冷蔵室２７Ａ、野菜室２７Ｂ、製氷室２７Ｃ、小冷凍室２７Ｄ、および主冷凍室２７Ｅを含む。本実施形態では、最上部に冷蔵室２７Ａが配置され、冷蔵室２７Ａの下方に野菜室２７Ｂが配置され、野菜室２７Ｂの下方に製氷室２７Ｃおよび小冷凍室２７Ｄが配置され、製氷室２７Ｃおよび小冷凍室２７Ｄの下方に主冷凍室２７Ｅが配置されている。ただし、貯蔵室２７の配置は、上記例に限定されず、例えば、冷蔵室２７Ａの下方に製氷室２７Ｃおよび小冷凍室２７Ｄが配置され、製氷室２７Ｃおよび小冷凍室２７Ｄの下方に主冷凍室２７Ｅが配置され、主冷凍室２７Ｅの下方に野菜室２７Ｂが配置されてもよい。筐体１０は、各貯蔵室２７の前面側に、各貯蔵室２７に対して食材の出し入れを可能にする開口を有する。
【００１４】
複数の貯蔵室２７の開口は、複数の扉１１によって開閉可能に閉じられる。複数の扉１１は、例えば、冷蔵室２７Ａの開口を閉じる左右の冷蔵室扉１１Ａａ，１１Ａｂ、野菜室２７Ｂの開口を閉じる野菜室扉１１Ｂ、製氷室２７Ｃの開口を閉じる製氷室扉１１Ｃ、小冷凍室２７Ｄの開口を閉じる小冷凍室扉１１Ｄ、および主冷凍室２７Ｅの開口を閉じる主冷凍室扉１１Ｅを含む。
【００１５】
左右の冷蔵室扉１１Ａａ，１１Ａｂは、例えば、観音開き式の扉である。左右の冷蔵室扉１１Ａａ，１１Ａｂは、例えばヒンジ３０によって筐体１０に回動可能に支持されている。本実施形態では、右冷蔵室扉１１Ａｂの横幅方向の幅は、左冷蔵室扉１１Ａａの横幅方向の幅よりも大きい。
【００１６】
本実施形態では、左冷蔵室扉１１Ａａの表面は、後述する操作パネルユニット７１により実現される操作／表示領域３１を有する。操作／表示領域３１は、冷蔵庫１の動作状態（動作モード）に関するユーザの操作を受け付ける１つ以上の操作部３１ａと、冷蔵庫１の動作状態を表示する１つ以上の表示部３１ｂとを含む。なお操作／表示領域３１は、操作部３１ａと表示部３１ｂとのうちいずれか一方のみを有してもよい。
【００１７】
また、左右の冷蔵室扉１１Ａａ，１１Ａｂの表面は、後述する開動作操作ユニット７２により実現される開動作操作部３２を有する。開動作操作部３２は、ユーザが軽く触れることで、筐体１０に対して冷蔵室扉１１Ａａ，１１Ａｂを電動により自動で開くための操作を受け付ける。詳しく述べると、筐体１０の上壁２１には、後述する制御基板１６と電気的に接続された開動作補助ユニット３３が設けられている。開動作補助ユニット３３は、左右の冷蔵室扉１１Ａａ，１１Ａｂの上端部の背後に配置されたソレノイド３３ａを有する。ソレノイド３３ａは、ユーザによって開動作操作部３２が触れられた場合に、制御基板１６を介して制御され、前方に向けて押し出される。これにより、ソレノイド３３ａによって左右の冷蔵室扉１１Ａａ，１１Ａｂが自動で開かれる。
【００１８】
一方で、野菜室扉１１Ｂ、製氷室扉１１Ｃ、小冷凍室扉１１Ｄ、および主冷凍室扉１１Ｅは、例えば、引き出し式の扉である。野菜室扉１１Ｂ、製氷室扉１１Ｃ、小冷凍室扉１１Ｄ、および主冷凍室扉１１Ｅは、レール３５（野菜室２７Ｂおよび主冷凍室２７Ｅにおいて左方のレール３５のみ図示）によって筐体１０に対して引き出し可能に支持されている。なお、扉１１については詳しく後述する。
【００１９】
図２に示すように、筐体１０は、第１および第２の仕切部２８，２９を有する。第１および第２の仕切部２８，２９は、例えば、それぞれ略水平方向に沿う仕切壁である。第１仕切部２８は、冷蔵室２７Ａと野菜室２７Ｂとの間に位置し、冷蔵室２７Ａと野菜室２７Ｂとの間を仕切っている。一方で、第２仕切部２９は、野菜室２７Ｂと、製氷室２７Ｃおよび小冷凍室２７Ｄとの間に位置し、野菜室２７Ｂと、製氷室２７Ｃおよび小冷凍室２７Ｄとの間を仕切っている。なお、製氷室２７Ｃおよび小冷凍室２７Ｄと、主冷凍室２７Ｅとの間には、仕切壁は設けられていない。
【００２０】
複数の棚１２は、冷蔵室２７Ａに配置されている。
複数の容器１３は、冷蔵室２７Ａに配置された冷蔵室容器１３Ａ（例えばチルド室容器）、野菜室２７Ｂに配置された第１および第２の野菜室容器１３Ｂａ，１３Ｂｂ、製氷室２７Ｃに配置された製氷室容器（不図示）、小冷凍室２７Ｄに配置された小冷凍室容器１３Ｄ、および主冷凍室２７Ｅに配置された第１および第２の主冷凍室容器１３Ｅａ，１３Ｅｂを含む。
【００２１】
流路形成部品１４は、筐体１０内に配置されている。流路形成部品１４は、例えば、第１ダクト部品１４Ａと、第２ダクト部品１４Ｂとを含む。第１ダクト部品１４Ａは、筐体１０の後壁２５に沿って設けられ、鉛直方向に延びている。第１ダクト部品１４Ａと筐体１０の後壁２５との間には、冷気（空気）が流れる通路である第１ダクト空間Ｓ１が形成されている。第１ダクト部品１４Ａは、冷蔵室２７Ａに開口した複数の冷気吹出口ｈ１と、野菜室２７Ｂに開口した冷気戻り口ｈ２とを有する。第２ダクト部品１４Ｂは、筐体１０の後壁２５に沿って設けられ、鉛直方向に延びている。第２ダクト部品１４Ｂと筐体１０の後壁２５との間には、冷気（空気）が流れる通路である第２ダクト空間Ｓ２が形成されている。第２ダクト部品１４Ｂは、製氷室２７Ｃおよび小冷凍室２７Ｄなどに開口した複数の冷気吹出口ｈ３と、主冷凍室２７Ｅに開口した冷気戻り口ｈ４とを有する。
【００２２】
冷却ユニット１５は、第１冷却ユニット１５Ａと、第２冷却ユニット１５Ｂと、圧縮機４５とを含む。
【００２３】
第１冷却ユニット１５Ａは、例えば、それぞれ第１ダクト空間Ｓ１に配置された第１冷却器４１および第１ファン４２を含む。第１ファン４２が駆動されると、野菜室２７Ｂの空気が冷気戻り口ｈ２から第１ダクト空間Ｓ１内に流入して第１冷却器４１によって冷却される。第１冷却器４１によって冷却された冷気は、複数の冷気吹出口ｈ１から冷蔵室２７Ａに吹き出される。これにより、冷蔵室２７Ａおよび野菜室２７Ｂで冷気が循環され、冷蔵室２７Ａおよび野菜室２７Ｂの冷却が行われる。
【００２４】
第２冷却ユニット１５Ｂは、例えば、それぞれ第２ダクト空間Ｓ２に配置された第２冷却器４３および第２ファン４４を含む。第２ファン４４が駆動されると、主冷凍室２７Ｅの空気が冷気戻り口ｈ４から第２ダクト空間Ｓ２内に流入して第２冷却器４３によって冷却される。第２冷却器４３によって冷却された冷気は、冷気吹出口ｈ３から製氷室２７Ｃ、小冷凍室２７Ｄ、および主冷凍室２７Ｅに吹き出される。これにより、製氷室２７Ｃ、小冷凍室２７Ｄ、および主冷凍室２７Ｅで空気が循環され、製氷室２７Ｃ、小冷凍室２７Ｄ、および主冷凍室２７Ｅの冷却が行われる。
【００２５】
圧縮機４５は、例えば、冷蔵庫１の底部の機械室に設けられている。圧縮機４５は、貯蔵室２７の冷却に用いられる冷媒ガスを圧縮する。圧縮機４５により圧縮された冷媒ガスは、放熱パイプなどを経由して、第１および第２の冷却器４１，４３に送られる。
【００２６】
制御基板（制御部）１６は、冷蔵庫１の全体を統括的に制御する。例えば、制御基板１６は、冷蔵室２７Ａおよび主冷凍室２７Ｅなどに設けられた温度センサの検出結果に基づき、第１ファン４２、第２ファン４４、および圧縮機４５の駆動を制御する。
【００２７】
＜２．各断熱材の特性＞
ここで、本実施形態の冷蔵庫１に用いられる各断熱材（「真空断熱材」、「発泡断熱材」、および「特定断熱材Ｇ」）の特性について説明する。
【００２８】
「真空断熱材」とは、ＶＩＰ（Vacuum Insulation Panel）とも呼ばれ、例えば、外装体と、外装体に収容された芯材とを含み、外装体の内部が減圧された断熱材である。芯材は、例えば、グラスウールのような繊維素材、または発泡体のような多孔質体である。
【００２９】
「発泡断熱材」は、例えば、発泡ウレタンのような発泡状の断熱材である。発泡断熱材は、流動性を有する状態で扉１１の内部に注入され、加熱して発泡させることで形成されている。
【００３０】
「特定断熱材Ｇ」とは、エアロゲル、キセロゲル、またはクライオゲルを含む断熱材であり、「断熱部材」の一例である。なお「エアロゲル、キセロゲル、またはクライオゲルを含む」とは、「エアロゲル、キセロゲル、またはクライオゲルのうち１つ以上を含む」の意味で用いている。エアロゲル、キセロゲル、およびクライオゲルは、それぞれ、低密度構造体（乾燥ゲル）である。「エアロゲル」とは、例えば、ゲル中に含まれる溶媒を超臨界乾燥により気体に置換した多孔性物質である。「キセロゲル」とは、ゲル中に含まれる溶媒を蒸発乾燥により気体に置換した多孔性物質である。「クライオゲル」とは、ゲル中に含まれる溶媒を凍結乾燥により気体に置換した多孔性物質である。
【００３１】
なお、エアロゲルのなかには、例えば特定の元素を導入することで、超臨界乾燥を使わずに乾燥させることができるものも存在する。本明細書でいう「エアロゲル」とは、そのようなエアロゲルも含む。すなわち本明細書でいう「エアロゲル」とは、超臨界乾燥を用いて製造されたものに限定されず、「エアロゲル」として流通する各種素材を広く意味する。超臨界乾燥が不要なエアロゲルとしては、例えば、二酸化ケイ素の分子ネットワークにメチル基などの有機鎖が導入された有機−無機ハイブリッドエアロゲルが知られており、ＰＭＳＱ（ＣＨ３ＳｉＯ１．５）エアロゲルなどがある。ただし、これらはあくまで例示である。
【００３２】
エアロゲル、キセロゲル、およびクライオゲルは、微細な空孔（空隙）を多数持ち、極めて高い空隙率（９０％以上、好ましくは９５％以上の空隙率）を持つ超低密度の乾燥多孔体である。上記乾燥多孔体の密度は、例えば１５０ｍｇ／ｃｍ３以下である。エアロゲル、キセロゲル、およびクライオゲルは、例えば、二酸化ケイ素などが数珠状に結合された構造を持ち、ナノメータレベル（例えば１００ｎｍ以下、好ましくは２ｎｍ〜５０ｎｍ）の空隙を多数持つ。このようにナノメータレベルの細孔と格子状構造を持つため、気体分子の平均自由行程を縮小することができ、常圧でも気体分子同士の熱伝導が非常に少なく、熱伝導率が非常に小さいものである。例えば、エアロゲル、キセロゲル、およびクライオゲルは、空気の平均自由行程より小さな微細な空隙を持つ。
【００３３】
エアロゲル、キセロゲル、およびクライオゲルとしては、ケイ素、アルミニウム、鉄、銅、ジルコニウム、ハフニウム、マグネシウム、イットリウムなどの金属酸化物からなる無機エアロゲル、無機キセロゲル、または無機クライオゲルでもよく、例えば二酸化ケイ素を含むシリカエアロゲル、シリカキセロゲル、またはシリカクライオゲルなどでもよい。これらは、直径１０ｎｍ〜２０ｎｍのシリカ（ＳｉＯ２）微粒子が連なった構造で、数１０ｎｍの幅の細孔を持つ。低密度のため固体部分の熱伝導が極めて小さいことに加え、細孔内部の空気の運動が制限されることから、非常に低い熱伝導率（０．０１２〜０．０２Ｗ（ｍ・Ｋ）を示す。さらに、シリカ微粒子や細孔が可視光の波長よりも小さく、可視光を散乱しないため、光透過性が高い。また、エアロゲル、キセロゲル、およびクライオゲルを構成する素材は、カーボンなどでもよい。
【００３４】
エアロゲル、キセロゲル、およびクライオゲルは、素材を選択することで、任意の性質（例えば弾性や柔軟性）を持たせることができる。例えば、ポリプロピレンを素材とすることで、高い弾性または柔軟性を持たせることができる。
【００３５】
エアロゲル、キセロゲル、およびクライオゲルは、それぞれ単体で特定断熱材Ｇを形成してもよい。これに代えて、エアロゲル、キセロゲル、およびクライオゲルは、それぞれ前駆体の状態で別の素材（例えば繊維構造物）が浸漬されることで複合体断熱材である特定断熱材Ｇを形成してもよい。このような繊維構造物は、乾燥ゲルを補強し、また支持するための補強材ないし支持体として作用するものであり、フレキシブルな複合体断熱材を得るためにフレキシブルな織布、編布、不織布などが用いられ、より好ましくはフェルトまたはブランケット状のものが用いられる。繊維構造物の材質としては、ポリエステル繊維などの有機繊維の他、ガラス繊維などの無機繊維を用いることもできる。
【００３６】
上記繊維構造物は、例えば、天然高分子のキトサンである。特定断熱材Ｇは、疎水化された微細なキトサン繊維の三次元網目構造を含み、超高空隙率（体積の９６〜９７％が空隙）を持つ。疎水化によって、親水性キトサンエアロゲルの均質なナノ構造を維持しつつ、多糖類のナノ繊維からなる材料の課題である耐湿性が高められ撥水性を持つ。
【００３７】
特定断熱材Ｇは、例えば、ポリプロピレン発泡体と、シリカエアロゲル、キセロゲル、クライオゲルから選択される１つとを複合化した断熱材であってもよい。
【００３８】
特定断熱材Ｇの熱伝導率は、真空断熱材の熱伝導率よりも高いが、発泡断熱材の熱伝導率よりも低い。特定断熱材Ｇの断熱性は、真空断熱材の断熱性には及ばないが、発泡断熱材の断熱性よりも優れている。特定断熱材Ｇの熱伝導率は、例えば、０．０１０Ｗ／ｍ・Ｋ〜０．０１５Ｗ／ｍ・Ｋである。真空断熱材の熱伝導率は、例えば、０．００３Ｗ／ｍ・Ｋ〜０．００５Ｗ／ｍ・Ｋである。発泡断熱材の熱伝導率は、例えば、０．０２０Ｗ／ｍ・Ｋ〜０．０２２Ｗ／ｍ・Ｋである。なおこれら数値はあくまで例示である。
【００３９】
特定断熱材Ｇが柔軟性を有する場合、特定断熱材Ｇの柔軟性（曲げやすさ）は、例えば、真空断熱材の柔軟性よりも高く、発泡断熱材の柔軟性よりも高い。また、特定断熱材が弾性を有する場合、特定断熱材Ｇの弾性は、例えば、真空断熱材の弾性（実質的にゼロに近い）よりも高く、発泡断熱材の弾性（実質的にゼロに近い）よりも高い。
【００４０】
＜３．左冷蔵室扉１１Ａａの構成＞
＜３．１  外装部材およびガスケット＞
図３は、左冷蔵室扉１１Ａａを示す斜視図である。左冷蔵室扉１１Ａａは、例えば、外郭部材５０と、ガスケット５５とを備えている。外郭部材５０は、箱状に形成されている。本明細書でいう「箱状」とは、扁平な箱状も含む。外郭部材５０は、例えば、枠体５１、前面板５２（図５参照）、および後面部材５３を有する。
【００４１】
枠体５１は、矩形の枠状に形成されている。枠体５１は、上辺部材５１ａ、下辺部材５１ｂ、左辺部材５１ｃ、および右辺部材５１ｄを含む。上辺部材５１ａは、横幅方向および奥行方向に沿う板状であり、左冷蔵室扉１１Ａａの上面を形成している。下辺部材５１ｂは、横幅方向および奥行方向に沿う板状であり、左冷蔵室扉１１Ａａの下面を形成している。左辺部材５１ｃは、鉛直方向および奥行方向に沿う板状であり、左冷蔵室扉１１Ａａの左側面を形成している。右辺部材５１ｄは、鉛直方向および奥行方向に沿う板状であり、左冷蔵室扉１１Ａａの右側面を形成している。これら上辺部材５１ａ、下辺部材５１ｂ、左辺部材５１ｃ、および右辺部材５１ｄが互いに組み合わされることで、枠体５１が形成されている。枠体５１は、例えば合成樹脂製である。
【００４２】
前面板５２（図５参照）は、枠体５１に取り付けられ、左冷蔵室扉１１Ａａの前端部に位置する。前面板５２は、鉛直方向および横幅方向に沿う板部材であり、左冷蔵室扉１１Ａａの前面を形成している。前面板５２は、例えば、ガラス板である。ただし、前面板５２は、ガラス板に限定されず、合成樹脂や他の素材で形成されてもよい。
【００４３】
後面部材５３は、前面板５２とは反対側から枠体５１に取り付けられ、左冷蔵室扉１１Ａａの後端部に位置する。後面部材５３は、左冷蔵室扉１１Ａａの後面を形成している。後面部材５３は、例えば合成樹脂製である。
【００４４】
後面部材５３は、後方に突出したリブ（突出部、膨出部）６１を有する。リブ６１は、左冷蔵室扉１１Ａａが筐体１０に対して閉じられた状態で後面部材５３から冷蔵室２７Ａ（貯蔵室）に向けて突出している。なお本明細書において「リブ」とは、説明の便宜上の名称であり、後面部材５３から後方に突出した部分を広く意味し、特定の形状や作用のものに限定されない。
【００４５】
リブ６１は、例えば、枠体５１の外形よりも一回り小さな環状に形成されている。本明細書でいう「環状」とは、全周が完全に連続している場合に限定されず、切欠きなどが設けられて一部が途切れている場合も含む。本実施形態では、リブ６１は、上辺部材５１ａに沿って横幅方向に延びたリブ（上リブ）６１ａ、下辺部材５１ｂに沿って横幅方向に延びたリブ（下リブ）６１ｂ、左辺部材５１ｃに沿って鉛直方向に延びたリブ（左リブ）６１ｃ、および右辺部材５１ｄに沿って鉛直方向に延びたリブ（右リブ）６１ｄを含む。
【００４６】
リブ６１は、例えば、冷蔵室２７Ａ（貯蔵室）内の冷気が左冷蔵室扉１１Ａａと筐体１０との間の隙間から逃げることを抑制するために設けられている。リブ６１は、比較的大きく後方に突出している。例えば、後方へのリブ６１の突出量は、リブ６１を除く外郭部材５０の奥行方向の厚さの半分以上である。本実施形態では、リブ６１の突出量は、リブ６１を除く外郭部材５０の奥行方向の厚さよりも大きい。また、リブ６１には、左冷蔵室扉１１Ａａが開かれた場合に、冷蔵室２７Ａ内を照らす照明部６２が設けられている。なお照明部６２については後述する。
【００４７】
ガスケット（シール部材、緩衝部材）５５は、後面部材５３に取り付けられている。詳しく述べると、後面部材５３は、左冷蔵室扉１１Ａａの内部に向けて窪んだ窪みであるスロート６３を有する。例えば、スロート６３は、リブ６１の外周側を取り囲む環状に形成されている。本実施形態では、スロート６３は、上辺部材５１ａに沿って横幅方向に延びたスロート（上スロート）６３ａ、下辺部材５１ｂに沿って横幅方向に延びたスロート（下スロート）６３ｂ、左辺部材５１ｃに沿って鉛直方向に延びたスロート（左スロート）６３ｃ、および右辺部材５１ｄに沿って鉛直方向に延びたスロート（右スロート６３ｄ）を含む。
【００４８】
ガスケット５５は、ガスケット本体５５ａと、ガスケット取付部５５ｂとを有する（図５参照）。ガスケット本体５５ａは、リブ６１の外周側を取り囲む環状に形成されている。ガスケット本体５５ａは、左冷蔵室扉１１Ａａが筐体１０に対して閉じられた場合に、左冷蔵室扉１１Ａａと筐体１０との間（または左冷蔵室扉１１Ａａと不図示の回転仕切板との間）に挟まれて、左冷蔵室扉１１Ａａと筐体１０との間（または左冷蔵室扉１１Ａａと回転仕切板との間）の隙間を塞ぐ。ガスケット取付部５５ｂは、左冷蔵室扉１１Ａａの後面部材５３に設けられたスロート６３（スロート６３ａ，６３ｂ，６３ｃ，６３ｄ）の内部に挿入されることで、スロート６３に取り付けられている。これにより、ガスケット５５が後面部材５３に固定されている。
【００４９】
ここで、右冷蔵室扉１１Ａｂ、野菜室扉１１Ｂ、製氷室扉１１Ｃ、小冷凍室扉１１Ｄ、および主冷凍室扉１１Ｅの構成は、上述した左冷蔵室扉１１Ａａの構成と同様である。すなわち、右冷蔵室扉１１Ａｂ、野菜室扉１１Ｂ、製氷室扉１１Ｃ、小冷凍室扉１１Ｄ、および主冷凍室扉１１Ｅの構成は、上述した左冷蔵室扉１１Ａａに関する説明において、「左冷蔵室扉１１Ａａ」を「右冷蔵室扉１１Ａｂ」、「野菜室扉１１Ｂ」、「製氷室扉１１Ｃ」、「小冷凍室扉１１Ｄ」、または「主冷凍室扉１１Ｅ」と読み替えればよい。
【００５０】
＜３．２  操作パネルユニットおよび開動作操作ユニット＞
本実施形態では、左冷蔵室扉１１Ａａには、操作／表示領域３１を実現する操作パネルユニット７１と、開動作操作部３２を実現する開動作操作ユニット７２とが内蔵されている。
【００５１】
図４は、操作パネルユニット７１および開動作操作ユニット７２を示す斜視図である。本実施形態では、左冷蔵室扉１１Ａａの内部には、第１ケース８１（図５、図６参照）によって操作パネルユニット７１が着脱可能に収容される第１収容部（第１収容空間）７３が形成されている。例えば、操作パネルユニット７１は、左冷蔵室扉１１Ａａの枠体５１の右辺部材５１ｄに設けられた第１開口部７４を通じて第１収容部７３に収容される。第１開口部７４は、着脱可能な蓋７５により閉鎖される。
【００５２】
操作パネルユニット７１は、第１収容部７３において、外郭部材５０の前面板５２の後面に沿って配置される。操作パネルユニット７１は、操作／表示領域３１の各操作部３１ａに対応する位置に、静電容量式のタッチ検出部とＬＥＤのような光源とを含む。操作パネルユニット７１は、操作／表示領域３１の各表示部３１ｂに対応する位置に、ＬＥＤのような光源を含む。操作パネルユニット７１は、タッチ検出部で検出された情報をケーブルＣ１（図１０参照）を介して冷蔵庫本体５の制御基板１６に出力するとともに光源を制御する制御基板を含む。例えば、操作パネルユニット７１の表面には、操作／表示領域３１の操作部３１ａおよび表示部３１ｂの内容を示す文字が抜き文字印刷で設けられている。操作パネルユニット７１は、「電子部品」の一例である。
【００５３】
左冷蔵室扉１１Ａａの前面板５２は、冷蔵庫１を正面から見た場合に操作パネルユニット７１と重なる第１領域と、第１領域を外れた第２領域とを有する。第１領域は、光透過性を有し、例えば操作パネルユニット７１の光源が発光する場合に、冷蔵庫１の外部から操作パネルユニット７１の表面が視認可能である。一方で、第２領域は、前面板５２の後面が有色の塗料が塗布され、左冷蔵室扉１１Ａａの内部が外部から見えなくなっている。なお、操作パネルユニット７１は、上記例に代えて、左冷蔵室扉１１Ａａに設けられた物理的なボタンやスイッチを介してユーザの操作を受け付けるユニットでもよい。
【００５４】
同様に、左冷蔵室扉１１Ａａの内部には、第２ケース８２（図６参照）によって開動作操作ユニット７２が着脱可能に収容される第２収容部（第２収容空間）７６が形成されている。開動作操作ユニット７２は、左冷蔵室扉１１Ａａの枠体５１の右辺部材５１ｄに設けられた第２開口部７７を通じて第２収容部７６に収容される。第２開口部７７は、着脱可能な蓋７８により閉鎖される。
【００５５】
開動作操作ユニット７２は、第２収容部７６において、外郭部材５０の前面板５２の後面に沿って配置される。開動作操作ユニット７２は、開動作操作部３２に対応する各位置に、１つ以上の静電容量式のタッチ検出部と、ＬＥＤのような光源とを含む。開動作操作ユニット７２は、タッチ検出部で検出された情報をケーブルＣ１を介して冷蔵庫本体５の制御基板１６に出力するとともに光源を制御する制御基板を含む。開動作操作ユニット７２は、「電子部品」の一例である。なお、開動作操作ユニット７２は、上記例に代えて、左冷蔵室扉１１Ａａに設けられた物理的なボタンやスイッチを介してユーザの操作を受け付けるユニットでもよい。
【００５６】
＜３．３  左冷蔵室扉の内部構成の概要＞
図５は、図３中に示された左冷蔵室扉１１ＡａのＦ５−Ｆ５線に沿う断面図である。図６は、図３中に示された左冷蔵室扉１１ＡａのＦ６−Ｆ６線に沿う断面図である。図５および図６に示すように、左冷蔵室扉１１Ａａは、例えば、第１ケース８１、第２ケース８２、補強部材８３、発泡断熱材８４、特定断熱材Ｇ、およびテープ部材８５を有する。なお、第２ケース８２は第１ケース８１と同様の構成を有するので、第２ケース８２および第２ケース８２に取り付けられた特定断熱材Ｇに関する詳しい説明は省略する。
【００５７】
＜３．４  第１ケース＞
第１ケース８１は、前面板５２の後面に沿って配置されている。第１ケース８１は、前方および右側方が開放された椀状に形成されている。すなわち、第１ケース８１は、後壁８１ａ、上壁８１ｂ、下壁８１ｃ、左側壁８１ｄ、および張出部８１ｅを含む。後壁８１ａは、左冷蔵室扉１１Ａａの前面板５２から離れた位置に設けられ、前面板５２と略平行に広がっている。上壁８１ｂは、後壁８１ａの上端部から前方に向けて延びており、前面板５２の後面に接している。下壁８１ｃは、後壁８１ａの下端部から前方に向けて延びており、前面板５２の後面に接している。左側壁８１ｄは、後壁８１ａの左端部から前方に向けて延びており、前面板５２の後面に接している。左側壁８１ｄは、操作パネルユニット７１から延びたケーブルＣ１が通される穴部８１ｄａを有する（図１０参照）。ケーブルＣ１は、ヒンジ３０を経由して冷蔵庫本体５の制御基板１６に接続されている。張出部８１ｅは、左側壁８１ｄの前端部から左方に向けて延びている。張出部８１ｅは、前面板５２の後面に沿って延びている。張出部８１ｅは、冷蔵庫１の正面から見た場合に、後述するテープ部材８５の第３部分８５ｃの少なくとも一部と重なる。
【００５８】
これにより、第１ケース８１の後壁８１ａと前面板５２との間には、操作パネルユニット７１が収容される第１収容部７３が形成されている。操作パネルユニット７１は、例えば、不図示の係合部によって第１ケース８１の内面に固定される。本明細書でいう「ケース」とは、箱状に形成された部材に限定されず、上記例のように複数の方向が開放された部材を含む。第１ケース８１は、「内部部品」の一例である。左冷蔵室扉１１Ａａのなかで第１ケース８１が設けられた領域は、左冷蔵室扉１１Ａａの厚さ方向（奥行方向）において、少なくとも第１ケース８１が設けられた分だけ発泡断熱材８４が充填される空間が小さくなる。
【００５９】
第１ケース８１の右端部は、左冷蔵室扉１１Ａａの枠体５１に係合する係合部８１ｆを有する。第１ケース８１の右端部は、枠体５１に比較的強固に固定される。一方で、第１ケース８１の左端部は、枠体５１には固定されない。第１ケース８１の左端部は、例えば、後述するテープ部材８５によって前面板５２の後面に固定される。
【００６０】
本実施形態では、第１ケース８１は、左冷蔵室扉１１Ａａの内部で右方向に偏った位置に配置される。第１ケース８１は、冷蔵庫１を正面から見た場合に、後面部材５３のスロート６３ｄと重なる。このため、第１ケース８１とスロート６３ｄとの間では、発泡断熱材８４が充填される空間がさらに小さくなる。
【００６１】
＜３．５  補強部材＞
補強部材８３は、左冷蔵室扉１１Ａａの右端部に設けられ、鉛直方向に延びている。補強部材８３は、例えばコの字形の断面形状を有した金属部材である。補強部材８３は、例えば、冷蔵室２７Ａの温度と冷蔵庫１の外部の温度との温度差による枠体５１の変形を抑制するために設けられている。補強部材８３は、冷蔵庫１の奥行方向で、第１ケース８１とスロート６３ｄとの間に設けられている。このため、第１ケース８１、補強部材８３、およびスロート６３ｄが重なる領域は、発泡断熱材８４が充填される空間がさらに小さくなる。また、補強部材８３の内部は、発泡断熱材８４が充填されにくい場所の一つである。
【００６２】
＜３．６  発泡断熱材＞
発泡断熱材８４は、外郭部材５０の内部に設けられている。例えば、発泡断熱材８４は、第１ケース８１を外れた領域において前面板５２と後面部材５３との間に充填されている。また、発泡断熱材８４は、特定断熱材Ｇと後面部材５３との間にも充填されている。
【００６３】
ここで、左冷蔵室扉１１Ａａの製造方法の一例について先に説明する。まず、上述した上辺部材５１ａ、下辺部材５１ｂ、左辺部材５１ｃ、および右辺部材５１ｄが組み合わされることで枠体５１が形成される。次に、枠体５１の前端部に前面板５２が取り付けられることで、中間組立体が形成される。次に、前面板５２を下側にした姿勢で中間組立体が作業台上に載置され、枠体５１に第１および第２のケース８１，８２が取り付けられる。
【００６４】
次に、後述する特定断熱材Ｇを第１および第２のケース８１，８２に取り付ける。なお、特定断熱材Ｇは、第１および第２のケース８１，８２を枠体５１に取り付ける前に、第１および第２のケース８１，８２に取り付けられてもよい。次に、後述するテープ部材８５によって第１および第２のケース８１，８２の左端部を前面板５２に固定する。次に、枠体５１の内部に発泡前の発泡断熱材８４を供給する。次に、後面部材５３を枠体５１の後端部に取り付ける。次に、発泡断熱材８４を加熱することで、発泡断熱材８４を発泡させる。最後に、操作パネルユニット７１および開動作操作ユニット７２が第１および第２の収容部７３，７６に収容される。これにより、左冷蔵室扉１１Ａａが製造される。
【００６５】
＜３．７  特定断熱材＞
特定断熱材Ｇは、外郭部材５０の内部に設けられている。特定断熱材Ｇは、冷蔵庫１を正面から見た場合に、第１ケース８１と重なる。本実施形態では、特定断熱材Ｇは、冷蔵庫１を正面から見た場合に、第１ケース８１、スロート６３ｄ、および補強部材８３と重なる。本実施形態では、特定断熱材Ｇは、第１ケース８１と、後面部材５３との間に配置されている。例えば、特定断熱材Ｇの少なくとも一部は、第１ケース８１と、スロート６３ｄとの間に配置されている。例えば、特定断熱材Ｇの少なくとも一部は、第１ケース８１と、補強部材８３との間に配置されている。
【００６６】
本実施形態では、特定断熱材Ｇは、冷蔵庫１を正面から見た場合、第１ケース８１の全体を覆う大きさを有する。例えば、特定断熱材Ｇは、第１ケース８１の後壁８１ａ、上壁８１ｂ、下壁８１ｃ、左側壁８１ｄ、および張出部８１ｅに沿う椀状に形成され、第１ケース８１の後壁８１ａ、上壁８１ｂ、下壁８１ｃ、左側壁８１ｄ、および張出部８１ｅを覆う。
【００６７】
本実施形態では、特定断熱材Ｇは、第１ケース８１の形状に応じて凹凸が形成された成形品であり、剛性を有する。例えば、特定断熱材Ｇは、シート状に形成された素材が第１ケース８１の形状に対応した金型にセットされ、加熱およびプレス加工されることで第１ケース８１の外形に沿う形状に加工されている。特定断熱材Ｇは、第１ケース８１の外形に沿って曲がった部分を含む。例えば、特定断熱材Ｇは、第１ケース８１の後壁８１ａと左側壁８１ｄとの間の折曲部に沿って曲がった部分を含む。特定断熱材Ｇが剛性を有した成形品であると、特定断熱材Ｇを第１ケース８１に取り付けやすく、組立作業性を向上させることができる場合がある。
【００６８】
なお、特定断熱材Ｇは、成形品に代えて、柔軟性を有するシートであってもよい。この場合、特定断熱材Ｇは、第１ケース８１の外形に沿って曲げながら第１ケース８１に取り付けられ、第１ケース８１の外形に沿って曲がった部分を含む。
【００６９】
特定断熱材Ｇは、例えば両面テープまたは接着剤により、第１ケース８１に固定されている。特定断熱材Ｇは、第１ケース８１の穴部８１ｄａに向かい合う穴部ｈａを有する（図１０参照）。操作パネルユニット７１から延びたケーブルＣ１は、第１ケース８１の穴部８１ｄａおよび特定断熱材Ｇの穴部ｈａを通って左冷蔵室扉１１Ａａの内部に延びている。
【００７０】
＜３．８  テープ部材＞
テープ部材８５は、第１ケース８１の左端部を前面板５２に固定する。テープ部材８５は、例えば、第１部分（第１端部）８５ａと、第２部分（第２端部）８５ｂと、第３部分８５ｃとを有する。例えば、第１部分８５ａは、第１ケース８１の左端部に対応する位置で、特定断熱材Ｇの後面に取り付けられている。第２部分８５ｂは、前面板５２の後面に取り付けられている。第３部分８５ｃは、第１部分８５ａと第２部分８５ｂとの間で延びて、第１部分８５ａと第２部分８５ｂとを繋いでいる。第３部分８５ｃは、左冷蔵室扉１１Ａａの前面板５２から離れている。このような構成によれば、テープ部材８５の第３部分８５ｃと前面板５２との間は、テープ８５が邪魔になって発泡断熱材８４が充填されにくい空間が形成されることになり、断熱性が低下する場合がある。本実施形態では、特定断熱材Ｇの少なくとも一部（例えば、第１ケース８１の張出部８１ｅを覆う部分）は、テープ部材８５の第３部分８５ｃと前面板５２との間に位置する。
【００７１】
本実施形態では、テープ部材８５は、特定断熱材Ｇに取り付けられ、特定断熱材Ｇを介して第１ケース８１の左端部を左冷蔵室扉１１Ａａの前面板５２に固定している。これに代えて、第１部分８５ａは、第１ケース８１に直接に取り付けられてもよいし、特定断熱材Ｇと第１ケース８１との両方に取り付けられてもよい。
【００７２】
なお、テープ部材８５は、固定用のテープ部材に限定されない。例えば、テープ部材８５は、発泡断熱材８４の発泡時に第１ケース８１と前面板５２と境界に作用する発泡圧を低減させるために設けられたテープ部材でもよい。すなわち、第１ケース８１と前面板５２と境界に作用する発泡圧が過度に大きいと、第１ケース８１と前面板５２との間に発泡断熱材８４が侵入する。その結果、第１ケース８１および操作パネルユニット７１が前面板５２から離れる方向にずれ、操作パネルユニット７１のタッチ検出部の検出精度が低下する可能性がある。そのため、上述したようなテープ部材８５を設けることで、第１ケース８１と前面板５２との境界に向かう発泡断熱材８４の流量を制限し、発泡断熱材８４から第１ケース８１と前面板５２と境界に作用する発泡圧を低減させてもよい。この場合、テープ部材８５は、例えば第１ケース８１の上端から下端に亘る大きさを有してもよい。
【００７３】
図７は、テープ部材８５の一例を示す平面図である。テープ部材８５の第３部分８５ｃは、発泡中の発泡断熱材８４がテープ部材８５と後面部材５３との間の空間から、テープ部材８５の第３部分８５ｃと前面板５２との間の空間に適量だけ流入させる１つ以上（例えば複数）の穴部ｈｂを有してもよい。このようなテープ部材８５が設けられる場合であっても、テープ部材８５の第３部分８５ｃと前面板５２との間は、他の場所と比べて発泡断熱材８４の充填密度が小さくなり、断熱性が低下する場合がある。そこで本実施形態では、特定断熱材Ｇの少なくとも一部がテープ部材８５の第３部分８５ｃと前面板５２との間に位置するように特定断熱材Ｇが設けられる。
【００７４】
以上のような構成によれば、左冷蔵室扉１１Ａａのなかで第１ケース８１が設けられた領域は、左冷蔵室扉１１Ａａの厚さ方向において、発泡断熱材８４が充填される空間が小さくなる。このため、第１ケース８１が設けられた領域の周囲で枠体５１および前面板５２に結露が生じる可能性が大きくなる。しかしながら、本実施形態では、冷蔵庫１を正面から見た場合に第１ケース８１と重なる特定断熱材Ｇが設けられている。これにより、例えば第１ケース８１の背後の断熱性が向上し、第１ケース８１が設けられた領域の周囲において枠体５１および前面板５２に結露が生じることを抑制することができる。
【００７５】
本実施形態では、特定断熱材Ｇは、第１ケース８１の外形に沿って曲がった部分を含む。このような構成によれば、特定断熱材Ｇと第１ケース８１との間に発泡断熱材８４が充填されない空間（断熱性が低い空間）が生じることを抑制することができる。これにより、断熱性のさらなる向上を図ることができる。
【００７６】
本実施形態では、特定断熱材Ｇは、冷蔵庫１を正面から見た場合に、テープ部材８５の第３部分８５ｃの少なくとも一部と重なる部分を有する。このような構成によれば、テープ部材８５に起因して発泡断熱材８４が充填されにくい領域の断熱性を向上させることができる。これにより、テープ部材８５が設けられた領域において前面板５２に結露が生じることを抑制することができる。
【００７７】
なお、特定断熱材Ｇは、第１ケース８１に代えて／加えて、第２ケース８２に対して設けられてもよい。この場合、第２ケース８２は、「内部部品」の一例である。また、第１または第２のケース８１，８２に収容される電子部品は、操作パネルユニット７１や開動作操作ユニット７２に限定されない。第１または第２のケース８１，８２に収容される電子部品は、例えば、液晶ディスプレイや有機ＥＬ（Organic Electro-Luminescence）ディスプレイ、プラズマディスプレイのような表示装置でもよく、カメラなどでもよい。この場合、表示装置やカメラが「電子部品」の一例に該当する。これら変形例は、以下に説明する全ての実施形態において適用可能である。
【００７８】
（第２実施形態）
次に、第２実施形態について説明する。第２実施形態は、第１および第２のケース８１，８２自体が特定断熱材Ｇで形成された点で、第１実施形態とは異なる。なお以下に説明する以外の構成は、第１実施形態と同じである。また、第２ケース８２は、第１ケース８１と同様の構成を有するので、説明を省略する。
【００７９】
図８は、第２実施形態の左冷蔵室扉１１Ａａを示す断面図である。本実施形態では、第１ケース８１自体が特定断熱材Ｇにより形成されている。第１ケース８１は、剛性を有した成形品である。第１ケース８１の内部には、操作パネルユニット７１が収容される。第１ケース８１は、冷蔵庫１を正面から見た場合に、操作パネルユニット７１に重なる。例えば、第１ケース８１は、冷蔵庫１を正面から見た場合に、操作パネルユニット７１の全体を覆う。第１ケース８１は、冷蔵庫１を正面から見た場合に、テープ部材８５の第３部分８５ｃの少なくとも一部と重なる部分を有する。本実施形態では、操作パネルユニット７１が「内部部品」の一例であり、第１ケース８１が「断熱部材」の一例である。このような構成によれば、第１実施形態と同様に、断熱性の向上を図ることができる。
【００８０】
なお上述したように、第１または第２のケース８１，８２に収容される電子部品は、例えば、表示装置やカメラなどでもよい。この場合、表示装置やカメラが「内部部品」の一例であり、「電子部品」の一例に該当する。例えば、表示装置およびカメラは、前面板５２の後面に沿って配置される。
【００８１】
（第３実施形態）
次に、第３実施形態について説明する。第３実施形態は、第１ケース８１と左冷蔵室扉１１Ａａの前面板５２とに亘る特定断熱材Ｇが設けられた点で、第１実施形態とは異なる。なお以下に説明する以外の構成は、第１実施形態と同じである。
【００８２】
図９は、第３実施形態の左冷蔵室扉１１Ａａを示す断面図である。本実施形態では、特定断熱材Ｇは、例えば、シート状に形成され、柔軟性を有する。特定断熱材Ｇは、例えば、第１部分（第１端部）９１ａと、第２部分（第２端部）９１ｂと、第３部分９１ｃとを有する。第１部分９１ａは、第１ケース８１の後面の左端部に取り付けられている。例えば、第１部分９１ａは、両面テープまたは接着剤により第１ケース８１に固定されている。第２部分９１ｂは、前面板５２の後面に取り付けられている。例えば、第２部分９１ｂは、両面テープまたは接着剤により前面板５２に固定されている。第３部分９１ｃは、第１部分９１ａと第２部分９１ｂとの間で延びて、第１部分９１ａと第２部分９１ｂとを繋いでいる。
【００８３】
本実施形態では、特定断熱材Ｇは、第１実施形態のテープ部材８５と同様の役割で設けられている。すなわち、特定断熱材Ｇは、第１ケース８１の左端部を前面板５２に固定する目的、および／または、発泡断熱材８４から第１ケース８１と前面板５２との境界に作用する発泡圧を低減させる目的で設けられている。例えば、特定断熱材Ｇの第３部分９１ｃは、第１実施形態のテープ部材８５と同様に、発泡中の発泡断熱材８４を通す１つ以上（例えば複数）の穴部ｈｂを有してもよい。
【００８４】
以上のような構成によれば、特定断熱材Ｇは、冷蔵庫１を正面から見た場合に第１ケース８１の一部と重なる位置に設けられているため、冷蔵庫１を正面から見た場合に第１ケース８１と重なる領域の断熱性が向上し、前面板５２に結露が生じることを抑制することができる。また、特定断熱材Ｇの第３部分９１ｃの近くに生じ得る発泡断熱材８４が充填されにくい領域の断熱性を向上させることができる。
【００８５】
（第４実施形態）
次に、第４実施形態について説明する。第４実施形態は、冷蔵庫１を正面から見た場合に、左冷蔵室扉１１Ａａの略全域に特定断熱材Ｇが設けられた点で第１実施形態とは異なる。なお以下に説明する以外の構成は、第１実施形態と同じである。
【００８６】
図１０は、第４実施形態の左冷蔵室扉１１Ａａを示す断面図である。図１１は、図１０中に示された左冷蔵室扉１１ＡａのＦ１１−Ｆ１１線に沿う断面図である。本実施形態では、特定断熱材Ｇは、第１から第８の部分９５ａ，９５ｂ，９５ｃ，９５ｄ，９５ｅ，９５ｆ，９５ｇ，９５ｈを含む。第１から第８の部分９５ａ，９５ｂ，９５ｃ，９５ｄ，９５ｅ，９５ｆ，９５ｇ，９５ｈは、互いに連続している。
【００８７】
図１０に示すように、第１部分９５ａは、枠体５１の右辺部材５１ｄの内面に沿って設けられている。第１部分９５ａは、右辺部材５１ｄの内面に設けられた構造体ＳＴ（例えば突起やリブ）が通される穴部ｈｃを有する。第１部分９５ａは、構造体ＳＴが穴部ｈｃに通されることで右辺部材５１ｄの内面に接している。
【００８８】
第２部分９５ｂは、第１ケース８１の後壁８１ａに沿って設けられている。第３部分９５ｃは、第１ケース８１の左側壁８１ｄに沿って設けられている。第３部分９５ｃには、第１ケース８１の左側壁８１ｄの穴部８１ｄａに向かい合いケーブルＣ１が通される穴部ｈａが設けられている。第４部分９５ｄは、前面板５２の後面に沿って設けられている。
【００８９】
第５部分９５ｅは、枠体５１の左辺部材５１ｃの内面に沿って設けられている。第５部分９５ｅは、左辺部材５１ｃの内面に設けられた構造体ＳＴ（例えば突起やリブ）が通される穴部ｈｃを有する。第５部分９５ｅは、構造体ＳＴが穴部ｈｃに通されることで左辺部材５１ｃの内面に接している。
【００９０】
図１１に示すように、第６部分９５ｆは、第２ケース８２の後壁に沿って設けられている。第７部分９５ｇは、枠体５１の上辺部材５１ａの内面に沿って設けられている。第７部分９５ｇは、上辺部材５１ａの内面に設けられた構造体ＳＴ（例えば突起やリブ）が通される穴部ｈｃを有する。第７部分９５ｇは、構造体ＳＴが穴部ｈｃに通されることで上辺部材５１ａの内面に接している。第８部分９５ｈは、枠体５１の下辺部材５１ｂの内面に沿って設けられている。第８部分９５ｈは、後述する第８実施形態と同様に、手掛け用の窪み１１０の形状に沿って設けられている。
【００９１】
以上のような構成によれば、第１実施形態と同様に、断熱性を向上させることができる。また本実施形態では、特定断熱材Ｇの第１部分９５ａ、第５部分９５ｅ、第７部分９５ｇ、および第８部分９５ｈにより、枠体５１の表面に結露が生じることをさらに抑制することができる。なお、第１から第８部分９５ａ〜９５ｈのうち１つ以上は、省略されてもよい。例えば、特定断熱材Ｇは、第１部分９５ａ、第５部分９５ｅ、第７部分９５ｇ、および第８部分９５ｈのみを有してもよい。
【００９２】
（第５実施形態）
次に、第５実施形態について説明する。第５実施形態は、第４実施形態の特定断熱材Ｇの第４部分９５ｄに１つ以上の穴部ｈｄが設けられた点で第４実施形態とは異なる。なお以下に説明する以外の構成は、第４実施形態と同じである。
【００９３】
図１２は、第５実施形態の左冷蔵室扉１１Ａａを示す断面図である。本実施形態では、前面板５２は、ガラス板である。このため本実施形態では、前面板５２をガラス板５２と称する。ここで、左冷蔵室扉１１Ａａは、いわゆるフレームレスの扉であり、ガラス板５２を前方から支持する支持部を有しない。枠体５１は、ガラス板５２の周端部を後方から支持する支持部５１ｅを有する。ガラス板５２の周端部は、枠体５１の支持部５１ｅに両面テープまたは接着剤によって固定されている。この場合、両面テープまたは接着剤は、長期使用に対する信頼性が高いものが採用されるが、製品寿命よりも長期間に亘って冷蔵庫１が使用された場合、腐食などが進む可能性がある。両面テープや接着剤の腐食が進むと、ガラス板５２を保持する接着力が弱まり、強い衝撃が作用した場合に枠体５１からガラス板５２が外れる可能性はゼロではない。
【００９４】
本実施形態では、特定断熱材Ｇの第４部分９５ｄは、１つ以上の穴部ｈｄを有してガラス板５２に沿って配置されている。第４部分９５ｄは、ガラス板５２の後面に接している。本実施形態では、第４部分９５ｄは、複数の穴部ｈｄを有する。複数の穴部ｈｄは、鉛直方向および横幅方向に並べられている。発泡断熱材８４の一部は、特定断熱材Ｇの第４部分９５ｄと後面部材５３との間に充填されている。発泡断熱材８４の一部は、発泡時に特定断熱材Ｇの複数の穴部ｈｄの内側に入り込み、複数の穴部ｈｄの内側でガラス板５２に接合されている。すなわち本実施形態によれば、支持部５１ｅに設けられた両面テープや接着剤に加え、発泡断熱材８４とガラス板５２との接合力によりガラス板５２が保持されている。このため、ガラス板５２を保持する両面テープや接着剤の腐食が進んだ場合であっても、ガラス板５２が外れる可能性が低減される。
【００９５】
（第６実施形態）
次に、第６実施形態について説明する。第６実施形態は、特定断熱材Ｇがスロート６３ｄを覆うように設けられた点で第１実施形態とは異なる。なお以下に説明する以外の構成は、第１実施形態と同じである。
【００９６】
図１３は、第６実施形態の左冷蔵室扉１１Ａａを示す断面図である。本実施形態では、特定断熱材Ｇは、外郭部材５０の内部に設けられている。特定断熱材Ｇは、冷蔵庫１を正面から見た場合に、スロート６３ｄと重なる。例えば、特定断熱材Ｇは、スロート６３ｄの上端と下端とに亘る長さを有して鉛直方向に延びている。スロート６３ｄは、「特定構造部」の一例である。
【００９７】
詳しく述べると、後面部材５３の内面１０１（外郭部材５０の内部に露出した面）は、スロート６３ｄに対応して外郭部材５０の内部に突出した突出部１０２を有する。突出部１０２は、スロート６３ｄの形状に対応した曲面状の表面を有する。本実施形態では、特定断熱材Ｇは、後面部材５３の内面１０１に取り付けられ、突出部１０２を覆う。特定断熱材Ｇは、外郭部材５０の内部で突出部１０２の表面に沿うように設けられ、スロート６３ｄの形状に対応して曲がった部分を含む。本実施形態では、特定断熱材Ｇは、突出部１０２の形状に応じて形成された成形品であり、剛性を有する。なお、特定断熱材Ｇは、柔軟性を有するシートでもよい。
【００９８】
以上のような構成によれば、左冷蔵室扉１１Ａａのなかでスロート６３ｄが設けられた領域は、左冷蔵室扉１１Ａａの厚さ方向において、少なくともスロート６３ｄが設けられた分だけ発泡断熱材８４が充填される空間が小さくなる。このため、スロート６３ｄが設けられた領域の周囲で枠体５１および前面板５２に結露が生じる可能性が大きくなる。しかしながら、本実施形態では、冷蔵庫１を正面から見た場合にスロート６３ｄと重なる特定断熱材Ｇが設けられている。これにより、例えばスロート６３ｄの前方で断熱性が向上し、スロート６３ｄが設けられた領域の周囲において枠体５１および前面板５２に結露が生じることを抑制することができる。
【００９９】
本実施形態では、特定断熱材Ｇは、後面部材５３の内面１０１のなかでスロート６３ｄに対応して外郭部材５０の内部に突出した突出部１０２を覆うように設けられ、スロート６３ｄの形状に対応して曲がった部分を含む。このような構成によれば、スロート６３ｄの周囲の断熱性をより効果的に向上させることができる。
【０１００】
本実施形態では、特定断熱材Ｇは、枠体５１ではなく、後面部材５３に取り付けられている。このような構成によれば、多くの突起やリブなどが設けられる枠体５１に特定断熱材Ｇを取り付ける場合と比べて、特定断熱材Ｇの形状を単純化することができるとともに、組立時の作業性も良好になる。
【０１０１】
（第７実施形態）
次に、第７実施形態について説明する。第７実施形態は、特定断熱材Ｇがスロート６３ｄの内部に設けられた点で第６実施形態とは異なる。なお以下に説明する以外の構成は、第６実施形態と同じである。
【０１０２】
図１４は、第７実施形態の左冷蔵室扉１１Ａａを示す断面図である。本実施形態では、特定断熱材Ｇは、後面部材５３の後面に取り付けられ、外郭部材５０の一部として設けられている。本実施形態では、特定断熱材Ｇは、スロート６３ｄの内部に設けられており、冷蔵庫１を正面から見た場合にスロート６３ｄと重なる。例えば、特定断熱材Ｇは、スロート６３ｄの上端と下端とに亘る長さを有して鉛直方向に延びている。
【０１０３】
詳しく述べると、スロート６３ｄは、例えば円弧状の内面（内周面）１０３を有する。例えば、特定断熱材Ｇは、スロート６３ｄの内面１０３に沿って設けられ、スロート６３ｄの形状に対応して曲がった部分を含む。特定断熱材Ｇは、スロート６３ｄの内面１０３と、スロート６３ｄに挿入されたガスケット取付部５５ｂとの間に配置される。本実施形態では、特定断熱材Ｇは、スロート６３ｄの内面１０３に対応して形成された成形品であり、剛性を有する。なお、特定断熱材Ｇは、柔軟性を有するシートでもよい。
【０１０４】
このような構成によれば、特定断熱材Ｇは、スロート６３ｄの内面１０３に沿うように設けられ、スロート６３ｄの形状に対応して曲がった部分を含む。このような構成によれば、スロート６３ｄの周囲の断熱性をより効果的に向上させることができる。
【０１０５】
（第８実施形態）
次に、第８実施形態について説明する。第８実施形態は、特定断熱材Ｇが手掛け用の窪み１１０を覆う点で第１実施形態とは異なる。なお以下に説明する以外の構成は、第１実施形態と同じである。
【０１０６】
図１５は、第８実施形態の左冷蔵室扉１１Ａａを示す断面図である。図１５に示すように、左冷蔵室扉１１Ａａの下端部は、手掛け用の窪み１１０を有する。窪み１１０は、外郭部材５０の下辺部材５１ｂに設けられ、外郭部材５０の内部に向けて（すなわち上方に向けて）窪んでいる。窪み１１０は、左冷蔵室扉１１Ａａを開くときにユーザが手を掛ける窪みである。窪み１１０は、横幅方向に延びている。
【０１０７】
本実施形態では、特定断熱材Ｇは、外郭部材５０の内部に設けられている。特定断熱材Ｇは、冷蔵庫１を正面から見た場合に、窪み１１０と重なる。また、特定断熱材Ｇは、冷蔵庫１を上方から見た場合に、窪み１１０と重なる。例えば、特定断熱材Ｇは、窪み１１０の左端部と右端部とに亘る長さを有して横幅方向に延びている。窪み１１０は、「特定構造部」の一例である。
【０１０８】
詳しく述べると、外郭部材５０の下辺部材５１ｂの内面１１１（外郭部材５０の内部に露出した面）は、窪み１１０に対応して外郭部材５０の内部に突出した突出部１１２を有する。突出部１１２は、窪み１１０の形状に対応した曲面状の表面を有する。本実施形態では、特定断熱材Ｇは、下辺部材５１ｂの内面１１１に取り付けられ、突出部１１２を覆う。特定断熱材Ｇは、外郭部材５０の内部で突出部１１２の表面に沿うように設けられ、窪み１１０の形状に対応して曲がった部分を含む。本実施形態では、特定断熱材Ｇは、突出部１１２の形状に応じて形成された成形品であり、剛性を有する。なお、特定断熱材Ｇは、柔軟性を有するシートでもよい。特定断熱材Ｇの少なくとも一部は、冷蔵室２７Ａ（貯蔵室２７）と窪み１１０との間に位置する。
【０１０９】
以上のような構成によれば、左冷蔵室扉１１Ａａのなかで手掛け用の窪み１１０が設けられた領域は、左冷蔵室扉１１Ａａの厚さ方向において、少なくとも窪み１１０が設けられた分だけ発泡断熱材８４が充填される空間が小さくなる。このため、窪み１１０が設けられた領域の周囲で枠体５１や前面板５２、窪み１１０の内側に結露が生じる可能性が大きくなる。しかしながら、本実施形態では、冷蔵庫１を正面から見た場合に窪み１１０と重なる特定断熱材Ｇが設けられている。これにより、例えば窪み１１０の背後で断熱性が向上し、窪み１１０が設けられた領域の周囲で枠体５１や前面板５２、窪み１１０の内側に結露が生じることを抑制することができる。
【０１１０】
本実施形態では、特定断熱材Ｇの少なくとも一部は、冷蔵室２７Ａと窪み１１０との間に位置する。このような構成によれば、冷蔵室２７Ａの冷気が窪み１１０に伝わりにくく、窪み１１０の内側に結露が生じることをさらに抑制することができる。
【０１１１】
（第９実施形態）
次に、第９実施形態について説明する。第９実施形態は、特定断熱材Ｇがブロック状の成形品として設けられた点で第８実施形態とは異なる。なお以下に説明する以外の構成は、第８実施形態と同じである。
【０１１２】
図１６は、第９実施形態の左冷蔵室扉１１Ａａを示す断面図である。本実施形態では、特定断熱材Ｇは、例えば、成形品であり、剛性を有する。ただし、特定断熱材Ｇは、柔軟性を有してもよい。特定断熱材Ｇは、第２ケース８２を外郭部材５０（例えば枠体５１）に取り付けた後であって、発泡断熱材８４が供給される前に、第２ケース８２と突出部１１２との間に挿入されることで外郭部材５０の内部に取り付けられる。特定断熱材Ｇは、冷蔵庫１を正面から見た場合に、窪み１１０と重なる。また、特定断熱材Ｇは、冷蔵庫１を上方から見た場合に、窪み１１０と重なる。特定断熱材Ｇは、外郭部材５０の内部で突出部１１２の表面に沿うように設けられ、窪み１１０の形状に対応して曲がった部分を含む。
【０１１３】
例えば、特定断熱材Ｇは、第１および第２部分１１５ａ，１１５ｂを有する。第１部分１１５ａは、第２ケース８２と突出部１１２との間に挿入される。一方で、第２部分１１５ｂは、第１部分１１５ａよりも下方に設けられ、冷蔵庫１を正面から見た場合に、窪み１１０と重なる。特定断熱材Ｇは、第１部分１１５ａが第２ケース８２と突出部１１２との間の隙間に嵌合されることで、または第２部分１１５ｂが両面テープ或いは接着剤により突出部１１２に固定されることで、外郭部材５０に対して固定される。
【０１１４】
このような構成によれば、第８実施形態と同様に、断熱性を向上させることができる。また本実施形態のように特定断熱材Ｇが成形品であると、組立時の作業性を向上させることができる。
【０１１５】
（第１０実施形態）
次に、第１０実施形態について説明する。第１０実施形態は、特定断熱材Ｇが柔軟性を有するブロック状の成形品として設けられた点で第９実施形態とは異なる。なお以下に説明する以外の構成は、第９実施形態と同じである。
【０１１６】
図１７は、第１０実施形態の左冷蔵室扉１１Ａａを示す断面図である。本実施形態では、特定断熱材Ｇは、柔軟性を有するブロック状に形成されている。特定断熱材Ｇは、第２ケース８２が外郭部材５０（例えば枠体５１）に取り付けられる前に、第２ケース８２に取り付けられている。特定断熱材Ｇは、第２ケース８２が外郭部材５０（例えば枠体５１）に取り付けられる際に、第２ケース８２と突出部１１２との間に挟まれて、第２ケース８２と突出部１１２との間で圧縮されて変形する。特定断熱材Ｇは、冷蔵庫１を正面から見た場合に、窪み１１０と重なる。また、特定断熱材Ｇは、冷蔵庫１を上方から見た場合に、窪み１１０と重なる。特定断熱材Ｇの少なくとも一部は、特定断熱材Ｇが第２ケース８２と突出部１１２との間に挟まれた状態で、冷蔵室２７Ａと窪み１１０との間に位置する。
【０１１７】
このような構成によれば、第９実施形態と同様に、断熱性を向上させることができる。また本実施形態のように特定断熱材Ｇが予め第２ケース８２に取り付けられていると、組立時の作業性をさらに向上させることができる。
【０１１８】
（第１１実施形態）
次に、第１１実施形態について説明する。第１１実施形態は、外郭部材５０の内部空間の一部を埋める比較的大きなブロック状の成形品として特定断熱材Ｇが設けられた点で第１実施形態とは異なる。なお以下に説明する以外の構成は、第１実施形態と同じである。
【０１１９】
図１８は、第１１実施形態の左冷蔵室扉１１Ａａを示す断面図である。本実施形態では、比較的大きなブロック状に形成されている。特定断熱材Ｇは、例えば、複数のシート状の特定断熱材ＧＳが積層されることで形成されている。これら複数のシート状の特定断熱材ＧＳは、両面テープや接着剤、または熱圧着などによって一体化されている。
【０１２０】
特定断熱材Ｇは、左冷蔵室扉１１Ａａの少なくとも一部において、第１および第２のケース８１，８２と後面部材５３との間の空間を埋めている。特定断熱材Ｇは、第１および第２のケース８１，８２の形状に応じて凹凸が形成された成形品である。例えば、特定断熱材Ｇは、特定断熱材Ｇを薄く形成する領域では積層されるシート状の特定断熱材ＧＳの数を減らし、特定断熱材Ｇを厚く形成する領域では積層されるシート状の特定断熱材ＧＳの数を増やすことで凹凸が形成されている。
【０１２１】
より詳しく述べると、特定断熱材Ｇは、例えば、第１から第６部分１２１ａ，１２１ｂ，１２１ｃ，１２１ｄ，１２１ｅ，１２１ｆを含む。第１部分１２１ａは、左冷蔵室扉１１Ａａの下端部に位置し、冷蔵室２７Ａと手掛け用の窪み１１０との間に位置する。第１部分１２１ａは、冷蔵庫１を正面から見た場合に、窪み１１０と重なる。第２部分１２１ｂは、リブ６１ｂの内部に挿入されている。例えば、第２部分１２１ｂは、奥行方向においてリブ６１ｂの半分以上の領域に挿入されている。第３部分１２１ｃは、第２ケース８２の後方に位置し、第２ケース８２と後面部材５３との間の空間を埋めている。
【０１２２】
第４部分１２１ｄは、第３部分１２１ｃの上方に位置し、前面板５２と後面部材５３との間の空間を埋めている。第５部分１２１ｅは、第１ケース８１の後方に位置し、第１ケース８１と後面部材５３との間に空間を埋めている。第６部分１２１ｆは、第５部分１２１ｅの上方に位置し、前面板５２と後面部材５３との間の空間を埋めている。第６部分１２１ｆよりも上方の領域には、発泡断熱材８４が設けられている。
【０１２３】
以上のような構成によれば、特定断熱材Ｇを外郭部材５０の内部に設置することで、外郭部材５０内の多くの領域の断熱性を向上させることができる。また、特定断熱材Ｇが成形品であると、組立時の作業性を向上させることができる。
【０１２４】
（第１２実施形態）
次に、第１２実施形態について説明する。第１２実施形態は、外郭部材５０の内部に比較的大きなシート状の特定断熱材Ｇが設けられた点で第１実施形態とは異なる。なお以下に説明する以外の構成は、第１実施形態と同じである。
【０１２５】
図１９は、第１２実施形態の左冷蔵室扉１１Ａａを示す断面図である。図２０は、図１９に示された左冷蔵室扉１１ＡａのＦ２０−Ｆ２０線に沿う断面図である。本実施形態では、特定断熱材Ｇは、後面部材５３の略全域を覆う大きさを有する。例えば、図１９に示すように、特定断熱材Ｇは、冷蔵庫１を正面から見た場合、左方のスロート６３ｃと右方のスロート６３ｄの両方に重なる大きさを有する。また図２０に示すように、特定断熱材Ｇは、冷蔵庫１を正面から見た場合、上方のスロート６３ａと下方のスロート６３ｂの両方に重なる大きさを有する。スロート６３ａ，６３ｂ，６３ｃ，６３ｄの各々は、「特定構造部」の一例である。
【０１２６】
特定断熱材Ｇは、特定断熱材Ｇのなかで冷蔵庫１を正面から見た場合にリブ６１と重なる中間領域１２５を有する。リブ６１は、「特定構造部」の別の一例である。特定断熱材Ｇの中間領域１２５には、発泡断熱材８４の発泡時に発泡断熱材８４の一部が特定断熱材Ｇと前面板５２との間の空間からリブ６１の内部に向けて通過可能な１つ以上の穴部ｈｅが設けられている。本実施形態では、特定断熱材Ｇの中間領域１２５には、複数の穴部ｈｅが設けられている。
【０１２７】
ここで、リブ６１には、左冷蔵室扉１１Ａａが開かれた場合に、冷蔵室２７Ａ内を照らす照明部６２が設けられている。照明部６２は、リブ６１の表面に設けられた光拡散板６２ａと、リブ６１の内部に設けられた光源６２ｂとを有する。本実施形態では、特定断熱材Ｇは、光源６２ｂに接続されたケーブルＣ２が通される穴部ｈｆが設けられている。ケーブルＣ２は、特定断熱材Ｇの穴部ｈｆに通されて左冷蔵室扉１１Ａａの内部に延びている。ケーブルＣ２は、ヒンジ３０を経由して冷蔵庫本体５の制御基板１６に接続されている。
【０１２８】
図２１は、左冷蔵室扉１１Ａａの製造途中の状態を示す断面図である。発泡断熱材８４は、前面板５２と特定断熱材Ｇとの間の空間に注入された後に加熱されて発泡する。発泡した発泡断熱材８４は、前面板５２と特定断熱材Ｇとの間の空間から特定断熱材Ｇの複数の穴部ｈｅを通じてリブ６１の内部に流入し、リブ６１の内部に充填される。
【０１２９】
以上のような構成によれば、第６実施形態などと同様に、断熱性を向上させることができる。また本実施形態では、特定断熱材Ｇの中間領域１２５には、複数の穴部ｈｅが設けられている。このような構成によれば、発泡断熱材８４の発泡時の流動経路を気にせず、特定断熱材Ｇを大きくすることができる。これにより、左冷蔵室扉１１Ａａのより広い領域の断熱性を向上させることができる。
【０１３０】
（第１３実施形態）
次に、第１３実施形態について説明する。第１３実施形態は、右冷蔵室扉１１Ａｂに関するものであり、外郭部材５０の内部に真空断熱材１３０が設けられた点で第１実施形態とは異なる。なお以下に説明する以外の構成は、第１実施形態と同じである。
【０１３１】
図２２は、第１３実施形態の右冷蔵室扉１１Ａｂを示す断面図である。図２２に示すように、右冷蔵室扉１１Ａｂは、例えば、第２ケース８２（以下、単にケース８２を称する）、真空断熱材１３０、補強部材８３、左特定断熱材Ｇ１、右特定断熱材Ｇ２、および発泡断熱材８４を有する。左特定断熱材Ｇ１および右特定断熱材Ｇ２は、それぞれ特定断熱材Ｇである。
【０１３２】
真空断熱材１３０は、矩形の板状に形成されている。真空断熱材１３０は、外郭部材５０の内部に設けられ、前面板５２と後面部材５３との間に配置されている。本実施形態では、真空断熱材１３０は、後面部材５３の内面に沿って配置されている。真空断熱材１３０の横幅は、左方のリブ６１ｃと、右方のリブ６１ｄとの間の距離よりも小さい。また後面部材５３には、真空断熱材１３０の位置決め用の突起１３１（例えばリブ）が設けられている。
【０１３３】
左特定断熱材Ｇ１は、例えば、成形品であり、剛性を有する。左特定断熱材Ｇ１は、真空断熱材１３０の左方に配置されている。左特定断熱材Ｇ１は、外郭部材５０の内部に設けられ、ケース８２と後面部材５３との間に配置されている。左特定断熱材Ｇ１は、冷蔵庫１を正面から見た場合、ケース８２、左方のスロート６３ｃ、および左方のリブ６１ｃと重なる。左特定断熱材Ｇ１は、例えば、第１から第３部分１３５ａ，１３５ｂ，１３５ｃを含む。第１部分１３５ａは、ケース８２と後面部材５３との間に配置され、真空断熱材１３０と隣り合う。第２部分１３５ｂは、補強部材８３とスロート６３ｃとの間に配置されている。第３部分１３５ｃは、リブ６１ｃの内部に挿入されている。
【０１３４】
同様に、右特定断熱材Ｇ２は、例えば、成形品であり、剛性を有する。右特定断熱材Ｇ２は、真空断熱材１３０の右方に配置されている。右特定断熱材Ｇ２は、外郭部材５０の内部に設けられ、前面板５２と後面部材５３との間に配置されている。右特定断熱材Ｇ２は、冷蔵庫１を正面から見た場合、右方のスロート６３ｄおよび右方のリブ６１ｄと重なる。右特定断熱材Ｇ２は、例えば、第１および第２部分１３６ａ，１３６ｂを含む。第１部分１３６ａは、前面板５２と後面部材５３との間に配置され、真空断熱材１３０と隣り合う。第２部分１３６ｂは、リブ６１ｄの内部に挿入されている。
【０１３５】
このような構成によれば、真空断熱材１３０と特定断熱材Ｇ１，Ｇ２との組み合わせにより右冷蔵室扉１１Ａｂの内部の広い領域の断熱性を向上させることができる。例えば、真空断熱材１３０は、板状にしか形成できないため、また発泡断熱材８４が通る穴部を設けることができないため、冷蔵庫１の正面から見てリブ６１と重なる領域には配置することができない。そこで本実施形態では、冷蔵庫１の正面から見てリブ６１と重なる領域に特定断熱材Ｇ１，Ｇ２を配置している。これにより、断熱性を向上させることができる。
【０１３６】
（第１４実施形態）
次に、第１４実施形態について説明する。第１４実施形態は、外郭部材５０の内部にシート状の特定断熱材Ｇが設けられた点で第１３実施形態とは異なる。なお以下に説明する以外の構成は、第１３実施形態と同じである。
【０１３７】
図２３は、第１４実施形態の右冷蔵室扉１１Ａｂを示す断面図である。本実施形態では、特定断熱材Ｇは、シート状に形成されている。例えば、特定断熱材Ｇは、冷蔵庫１を正面から見た場合に、左方のスロート６３ｃと右方のスロート６３ｄの両方に重なる大きさを有する。
【０１３８】
本実施形態では、特定断熱材Ｇは、第１から第３部分１４１ａ，１４１ｂ，１４１ｃを有する。第１部分１４１ａは、真空断熱材１３０と後面部材５３との間に配置され、真空断熱材１３０に沿って延びている。第２部分１４１ｂは、真空断熱材１３０よりも左方に延びている。第２部分１４１ｂは、真空断熱材１３０の位置決め用の突起１３１（例えばリブ）が通される穴部ｈｇを有する。第２部分１４１ｂは、突起１３１が穴部ｈｇに通されることで、後面部材５３の内面に接している。第２部分１４１ｂは、冷蔵庫１を正面から見た場合、左方のリブ６１ｃおよび左方のスロート６３ｃと重なる。第３部分１４１ｃは、真空断熱材１３０よりも右方に延びている。第３部分１４１ｃは、真空断熱材１３０の位置決め用の突起１３１（例えばリブ）が通される穴部ｈｇを有する。第３部分１４１ｃは、突起１３１が穴部ｈｇに通されることで、後面部材５３の内面に接している。第３部分１４１ｃは、冷蔵庫１を正面から見た場合、右方のリブ６１ｄおよび右方のスロート６３ｄと重なる。第２部分１４１ｂおよび第３部分１４１ｃの各々は、発泡中の発泡断熱材８４を通すための１つ以上の穴部ｈｅが設けられている。
【０１３９】
このような構成によれば、第１３実施形態と同様に、断熱性を向上させることができる。なお、特定断熱材Ｇは、第１部分１４１ａを有さずに、第２部分１４１ｂと第３部分１４１ｃのみを有してもよい。
【０１４０】
（第１５実施形態）
次に、第１５実施形態について説明する。第１５実施形態は、野菜室扉１１Ｂに係るものであり、野菜室扉１１Ｂのなかでレール３５が取り付けられる固定部１６１に対して特定断熱材Ｇが設けられた点で第１実施形態とは異なる。なお以下に説明する以外の構成は、第１実施形態と同じである。なお本実施形態の構成は、製氷室扉１１Ｃ、小冷凍室扉１１Ｄ、および主冷凍室扉１１Ｅにも適用可能である。
【０１４１】
図２４は、第１５実施形態の野菜室扉１１Ｂを示す断面図である。図２５は、図２４中に示された野菜室扉１１ＢのＦ２５−Ｆ２５線に沿う断面図である。図２４および図２５に示すように、野菜室扉１１Ｂは、冷蔵庫本体５の筐体１０に対して野菜室扉１１Ｂを引き出し可能に支持するレール３５を有する。レール３５は、例えば、金属材料で形成され、レール本体３５ａと、レール取付部３５ｂとを有する。レール本体３５ａは、冷蔵庫１の奥行方向に延びており、滑車のような摺動部によって奥行方向に伸縮可能（または移動可能）に支持されている。レール取付部３５ｂは、レール本体３５ａの前端部で折れ曲がり、野菜室扉１１Ｂの後面部材５３に取り付けられている。レール取付部３５ｂは、複数の締結部材１５１（例えばねじ）が通される挿通穴３５ｂａを有する。
【０１４２】
野菜室扉１１Ｂは、後面部材５３に設けられた固定部１６１と、外郭部材５０の内部に設けられた固定金具１６２（図２５参照）とを有する。固定部１６１は、レール取付部３５ｂが取り付けられる台座部である。固定部１６１は、後面部材５３の中央部と比べて後方に突出している。固定部１６１は、レール取付部３５ｂと略平行な平面部１６１ａを有する。平面部１６１ａは、鉛直方向および横幅方向に広がる。平面部１６１ａは、複数の締結部材１５１が通される挿通穴１６１ｂを有する。固定部１６１は、「特定構造部」の一例である。
【０１４３】
固定金具１６２は、例えば金属材料で形成され、固定部１６１の内側に配置されている。固定金具１６２は、第１から第３部分１６２ａ，１６２ｂ，１６２ｃを含む。第１部分１６２ａは、固定部１６１の平面部１６１ａと略平行に配置されている。第１部分１６２ａは、締結部材１５１が係合する係合穴１６２ａａ（例えばねじ穴）を有する。締結部材１５１がレール取付部３５ｂの挿通穴３５ｂａおよび固定部１６１の挿通穴１６１ｂに通されて第１部分１６２ａの係合穴１６２ａａに係合することで、レール３５が後面部材５３に固定される。第２部分１６２ｂおよび第３部分１６２ｃは、第１部分１６２ａの両端部から外郭部材５０の内部に向けて折れ曲がっている。第２部分１６２ｂおよび第３部分１６２ｃの周囲に発泡断熱材８４が設けられることで、固定金具１６２が外郭部材５０のなかで安定して支持される。
【０１４４】
本実施形態では、特定断熱材Ｇは、例えば、シート状に形成され、野菜室扉１１Ｂの外郭部材５０の内部に設けられている。特定断熱材Ｇは、冷蔵庫１を正面から見た場合に、少なくとも固定部の平面部１６１ａおよび固定金具１６２の第１部分１６２ａと重なる。特定断熱材Ｇは、固定金具１６２の第２部分１６２ｂおよび第３部分１６２ｃが通される穴部ｈｈを有する。特定断熱材Ｇは、固定金具１６２の第２部分１６２ｂおよび第３部分１６２ｃが穴部ｈｈに通されることで、固定金具１６２の第１部分１６２ａに接している。特定断熱材Ｇは、複数の締結部材１５１の締結を阻害しないように、複数の締結部材１５１が通される挿通穴ｈｉを有してもよい。
【０１４５】
ここで、後面部材５３の固定部１６１および固定金具１６２は、レール３５を介して野菜室２７Ｂの温度が伝わり、冷やされやすい。しかしながら、本実施形態では、冷蔵庫１を正面から見た場合に後面部材５３の固定部１６１と重なる特定断熱材Ｇが設けられている。このため、例えば後面部材５３の固定部１６１の前側で断熱性が向上し、レール３５から後面部材５３の固定部１６１に伝わる温度が野菜室扉１１Ｂの内部に伝わりにくい。これにより、枠体５１および前面板５２に結露が生じることを抑制することができる。
【０１４６】
なお上記構成に代えて、特定断熱材Ｇは、固定金具１６２の第１部分１６２ａと固定部１６１の平面部１６１ａとの間（すなわち、固定金具１６２と後面部材５３との間）に設けられてもよい。
【０１４７】
（第１６実施形態）
次に、第１６実施形態について説明する。第１６実施形態は、レール取付部３５ｂと後面部材５３の固定部１６１との間に特定断熱材Ｇが設けられた点で第１５実施形態とは異なる。なお以下に説明する以外の構成は、第１５実施形態と同じである。なお本実施形態の構成は、製氷室扉１１Ｃ、小冷凍室扉１１Ｄ、および主冷凍室扉１１Ｅにも適用可能である。
【０１４８】
図２６は、第１６実施形態の野菜室扉１１Ｂを示す断面図である。本実施形態では、特定断熱材Ｇは、例えば、シート状に形成され、レール取付部３５ｂと後面部材５３の固定部１６１との間に挟まれている。すなわち、特定断熱材Ｇは、外郭部材５０の一部として設けられている。特定断熱材Ｇは、冷蔵庫１を正面から見た場合に、少なくとも固定部１６１の平面部１６１ａおよび固定金具１６２の第１部分１６２ａと重なる。特定断熱材Ｇは、締結部材１５１が通される複数の穴部ｈｉを有する。このような構成によれば、第１５実施形態と同様に、野菜室扉１１Ｂの断熱性を向上させることができ、枠体５１および前面板５２に結露が生じることを抑制することができる。
【０１４９】
（第１７実施形態）
次に、第１７実施形態について説明する。第１７実施形態は、特定断熱材Ｇが野菜室扉１１Ｂの手掛け用の窪み１１０を覆う点で第１５実施形態とは異なる。なお以下に説明する以外の構成は、第１５実施形態と同じである。なお本実施形態の構成は、製氷室扉１１Ｃ、小冷凍室扉１１Ｄ、および主冷凍室扉１１Ｅにも適用可能である。
【０１５０】
図２７は、第１７実施形態の左冷蔵室扉１１Ａａを示す断面図である。図２７に示すように、野菜室扉１１Ｂの上端部は、手掛け用の窪み１１０を有する。窪み１１０は、外郭部材５０の上辺部材５１ａに設けられ、外郭部材５０の内部に向けて（すなわち下方に向けて）窪んでいる。窪み１１０は、野菜室扉１１Ｂを開くときにユーザが手を掛ける窪みである。窪み１１０は、横幅方向に延びている。
【０１５１】
本実施形態では、特定断熱材Ｇは、外郭部材５０の内部の上端部に設けられている。特定断熱材Ｇは、冷蔵庫１を正面から見た場合に、窪み１１０と重なる。また、特定断熱材Ｇは、冷蔵庫１を上方から見た場合に、窪み１１０と重なる。例えば、特定断熱材Ｇは、窪み１１０の左端部と右端部とに亘る長さを有して横幅方向に延びている。窪み１１０は、「特定構造部」の一例である。
【０１５２】
詳しく述べると、外郭部材５０の上辺部材５１ａの内面１１１（外郭部材５０の内部に露出した面）は、窪み１１０に対応して外郭部材５０の内部に突出した突出部１１２を有する。突出部１１２は、窪み１１０の形状に対応した曲面状の表面を有する。
【０１５３】
特定断熱材Ｇは、上辺部材５１ａの内面１１１に取り付けられ、突出部１１２を覆う。本実施形態では、特定断熱材Ｇは、突出部１１２の形状に応じて形成された成形品であり、剛性を有する。なお、特定断熱材Ｇは、柔軟性を有するシートでもよい。特定断熱材Ｇの少なくとも一部は、野菜室２７Ｂ（貯蔵室２７）と窪み１１０との間に位置する。
【０１５４】
本実施形態では、特定断熱材Ｇは、第１から第３部分１７１ａ，１７１ｂ，１７１ｃを含む。第１部分１７１ａは、外郭部材５０の内部で突出部１１２の表面に沿うように設けられ、窪み１１０の形状に対応して曲がった部分を含む。第２部分１７１ｂは、前面板５２の後面に沿って配置されている。例えば、第２部分１７１ｂは、リブ６１ａの下端よりも下方まで延びている。第３部分１７１ｃは、上辺部材５１ａの内面に沿って配置されている。
【０１５５】
以上のような構成によれば、野菜室扉１１Ｂのなかで手掛け用の窪み１１０が設けられた領域の周囲は、野菜室扉１１Ｂの厚さ方向において、発泡断熱材８４が充填される空間が小さくなる。このため、窪み１１０が設けられた領域の周囲で枠体５１や前面板５２、窪み１１０の内側に結露が生じる可能性が大きくなる。しかしながら、本実施形態では、冷蔵庫１を正面から見た場合に窪み１１０と重なる特定断熱材Ｇが設けられている。これにより、例えば窪み１１０の背後で断熱性が向上し、窪み１１０が設けられた領域の周囲において枠体５１や前面板５２、窪み１１０の内側に結露が生じることを抑制することができる。
【０１５６】
ここで、冷蔵庫本体５の筐体１０において、冷蔵室２７Ａと野菜室２７Ｂとは、同じ冷蔵温度帯の貯蔵室である。このため、冷蔵室２７Ａと野菜室２７Ｂとの間の第１仕切部２８は、野菜室２７Ｂと、製氷室２７Ｃおよび小冷凍室２７Ｄとの間に位置する第２仕切部２９と比べて断熱性が小さい構造を有する。例えば、第１仕切部２８は、一般的な合成樹脂製の部材で形成され、発泡断熱材１１ｃを含まない。言い換えると、野菜室扉１１Ｂの上端部の後方には、断熱性が高い壁部が存在しない。このため、冷蔵室２７Ａの冷気吹出口ｈ１から供給された冷気は、野菜室扉１１Ｂの上端部に接しやすく、野菜室扉１１Ｂの上端部の温度を低下させやすい。このため、野菜室扉１１Ｂの上側のリブ６１ａは、下側のリブ６１ｂに比べて大きく形成されている。
【０１５７】
しかしながら、本実施形態では、外郭部材５０の内部の上端部に特定断熱材Ｇが設けられ、外郭部材５０の上端部の断熱性が向上している。外郭部材５０の上端部の断熱性が向上すると、野菜室扉１１Ｂの上側のリブ６１ａを小さくすることができる。上側のリブ６１ａを小さくすることができると、野菜室容器１３Ｂａ，１３Ｂｂの大型化や、野菜室２７Ｂの見栄えの向上（開口の大型化）を図ることができる。
【０１５８】
（第１８実施形態）
次に、第１８実施形態について説明する。第１８実施形態は、特定断熱材Ｇがブロック状に形成された点で第１７実施形態とは異なる。なお以下に説明する以外の構成は、第１７実施形態と同じである。なお本実施形態の構成は、製氷室扉１１Ｃ、小冷凍室扉１１Ｄ、および主冷凍室扉１１Ｅにも適用可能である。
【０１５９】
図２８は、第１７実施形態の野菜室扉１１Ｂを示す断面図である。図２９は、図２８中に示された野菜室扉１１ＢのＦ２９−Ｆ２９線に沿う断面図である。図２８および図２９に示すように、本実施形態では、野菜室扉１１Ｂは、特定断熱材Ｇとして、上特定断熱材Ｇ３、下特定断熱材Ｇ４、左特定断熱材Ｇ１、および右特定断熱材Ｇ２を有する。
【０１６０】
上特定断熱材Ｇ３は、外郭部材５０の内部の上端部に設けられている。上特定断熱材Ｇ３は、外郭部材５０の内部の上端部の構造（例えばリブ６１ａや突出部１０２，１１２、その他の突起など）に応じた形状を有した成形品である。上特定断熱材Ｇ３は、第１から第３部分１８１ａ，１８１ｂ，１８１ｃを含む。第１部分１８１ａは、窪み１１０とスロート６３ａとの間に配置される。第２部分１８１ｂは、窪み１１０とリブ６１ａとの間に配置されている。第２部分１８１ｂの一部は、リブ６１ａの内部に挿入されている。第３部分１８１ｃは、前面板５２とリブ６１ａとの間に配置されている。第３部分１８１ｃの一部は、リブ６１ａの内部に挿入されている。
【０１６１】
下特定断熱材Ｇ４は、外郭部材５０の内部の下端部に設けられている。下特定断熱材Ｇ４は、外郭部材５０の内部の下端部の構造（例えばリブ６１ｂや突出部１０２、その他の突起など）に応じた形状を有した成形品である。下特定断熱材Ｇ４は、第１および第２部分１８２ａ，１８２ｂを含む。第１部分１８２ａは、前面板５２とスロート６３ｂとの間に配置される。第２部分１８２ｂは、前面板５２とリブ６１ｂとの間に配置されている。第２部分１８２ｂの一部は、リブ６１ｂの内部に挿入されている。
【０１６２】
左特定断熱材Ｇ１は、外郭部材５０の内部の左端部に設けられている。左特定断熱材Ｇ１は、外郭部材５０の内部の左端部の構造（例えばリブ６１ｃや突出部１０２、その他の突起など）に応じた形状を有した成形品である。左特定断熱材Ｇ１は、第１および第２部分１８３ａ，１８３ｂを含む。第１部分１８３ａは、前面板５２とスロート６３ｃとの間に配置される。第２部分１８３ｂは、前面板５２とリブ６１ｃとの間に配置されている。第２部分１８３ｂの一部は、リブ６１ｃの内部に挿入されている。
【０１６３】
右特定断熱材Ｇ２は、外郭部材５０の内部の右端部に設けられている。右特定断熱材Ｇ２は、外郭部材５０の内部の右端部の構造（例えばリブ６１ｄや突出部１０２、その他の突起など）に応じた形状を有した成形品である。右特定断熱材Ｇ２は、第１および第２部分１８４ａ，１８４ｂを含む。第１部分１８４ａは、前面板５２とスロート６３ｄとの間に配置される。第２部分１８４ｂは、前面板５２とリブ６１ｄとの間に配置されている。第２部分１８４ｂの一部は、リブ６１ｄの内部に挿入されている。
【０１６４】
本実施形態では、特定断熱材Ｇは、上特定断熱材Ｇ３、下特定断熱材Ｇ４、左特定断熱材Ｇ１、および右特定断熱材Ｇ２によって、特定断熱材Ｇによる矩形枠状の断熱構造が形成されている。そして本実施形態では、上特定断熱材Ｇ３、下特定断熱材Ｇ４、左特定断熱材Ｇ１、および右特定断熱材Ｇ２によって囲まれる領域に発泡断熱材８４が設けられている。このような構成によれば、野菜室扉１１Ｂの断熱性が向上し、枠体５１や前面板５２、窪み１１０の内側に結露が生じることを抑制することができる。
【０１６５】
（第１９実施形態）
次に、第１９実施形態について説明する。第１９実施形態は、主冷凍室扉１１Ｅに関するものである点で第１７実施形態とは異なる。なお以下に説明する以外の構成は、第１７実施形態と同じである。なお本実施形態の構成は、野菜室２７Ｂ、製氷室扉１１Ｃ、および小冷凍室扉１１Ｄにも適用可能である。
【０１６６】
図３０は、第１９実施形態の主冷凍室扉１１Ｅを示す断面図である。図３０に示すように、主冷凍室扉１１Ｅは、真空断熱材１３０を有する。真空断熱材１３０は、鉛直方向および横幅方向に沿う板状に形成され、外郭部材５０の内部に設けられている。
【０１６７】
主冷凍室２７Ｅの上端部は、手掛け用の窪み１１０を有する。本実施形態では、特定断熱材Ｇは、第１７実施形態と同様に、外郭部材５０の内部の上端部に設けられている。特定断熱材Ｇは、第１７実施形態と同様に、第１から第３部分１７１ａ，１７１ｂ，１７１ｃを含む。本実施形態では、第２部分１７１ｂは、冷蔵庫１を正面から見た場合に、真空断熱材１３０と重なる。すなわち、第２部分１７１ｂは、真空断熱材１３０の上端よりも下方まで延びている。例えば、第２部分１７１ｂは、冷蔵庫１を正面から見た場合、窪み１１０と真空断熱材１３０との間の領域の少なくとも一部を覆うようにして真空断熱材１３０の少なくとも一部と重なる。第２部分１７１ｂは、冷蔵庫１を正面から見た場合、少なくとも窪み１１０の下端と真空断熱材１３０の上端との間を連続して延びている。
【０１６８】
以上のような構成によれば、冷蔵庫１を正面から見た場合に窪み１１０と重なる特定断熱材Ｇが設けられている。これにより、例えば窪み１１０の背後で断熱性が向上し、窪み１１０が設けられた領域の周囲において枠体５１や前面板５２、窪み１１０の内側に結露が生じることを抑制することができる。
【０１６９】
ここで、冷蔵庫本体５の筐体１０において、製氷室２７Ｃおよび小冷凍室２７Ｄと、主冷凍室２７Ｅとは、同じ冷凍温度帯の貯蔵室である。このため、製氷室２７Ｃおよび小冷凍室２７Ｄと、主冷凍室２７Ｅとの間の仕切構造は、野菜室２７Ｂと、製氷室２７Ｃおよび小冷凍室２７Ｄとの間に位置する第２仕切部２９と比べて断熱性が小さい。例えば、製氷室２７Ｃおよび小冷凍室２７Ｄと、主冷凍室２７Ｅとの間には、実質的な仕切り部は存在しない。言い換えると、主冷凍室２７Ｅの上端部の後方には、断熱性が高い壁部が存在しない。このため、製氷室２７Ｃや小冷凍室２７Ｄなどの冷気吹出口ｈ３から供給された冷気は、主冷凍室扉１１Ｅの上端部に接しやすく、主冷凍室扉１１Ｅの上端部の温度を低下させやすい。このため、主冷凍室扉１１Ｅの上側のリブ６１ａは、下側のリブ６１ｂに比べて大きく形成されている。
【０１７０】
しかしながら、本実施形態では、外郭部材５０の内部の上端部に特定断熱材Ｇが設けられ、外郭部材５０の上端部の断熱性が向上している。外郭部材５０の上端部の断熱性が向上すると、主冷凍室扉１１Ｅの上側のリブ６１ａを小さくすることができる。上側のリブ６１ａを小さくすることができると、主冷凍室容器１３Ｅａ，１３Ｅｂの大型化や、主冷凍室２７Ｅの見栄えの向上（開口の大型化）を図ることができる。
【０１７１】
本実施形態では、特定断熱材Ｇは、冷蔵庫１を正面から見た場合に、窪み１１０と真空断熱材１３０との間の領域の少なくとも一部を覆うようにして真空断熱材１３０の少なくとも一部と重なる。このような構成によれば、主冷凍室扉１１Ｅの上端部において、特定断熱材Ｇと真空断熱材１３０とにより切れ目のない断熱構造を実現することができる。これにより、主冷凍室扉１１Ｅの断熱性をさらに高めることができる。
【０１７２】
（第２０実施形態）
次に、第２０実施形態について説明する。第２０実施形態は、板状の特定断熱材Ｇが設けられた点で第１９実施形態とは異なる。なお以下に説明する以外の構成は、第１９実施形態と同じである。なお本実施形態の構成は、野菜室２７Ｂ、製氷室扉１１Ｃ、および小冷凍室扉１１Ｄにも適用可能である。
【０１７３】
図３１は、第２０実施形態の主冷凍室扉１１Ｅを示す断面図である。本実施形態では、特定断熱材Ｇは、板状に形成されて、横幅方向に延びている。特定断熱材Ｇは、冷蔵庫１を正面から見た場合、窪み１１０、上側のスロート６３ａ、上側のリブ６１ａ、および真空断熱材１３０の上端部と重なる。特定断熱材Ｇは、冷蔵庫１を正面から見た場合に、窪み１１０と真空断熱材１３０との間の領域の少なくとも一部を覆うようにして真空断熱材１３０の少なくとも一部と重なる。特定断熱材Ｇは、窪み１１０と主冷凍室２７Ｅとの間に配置されている。このような構成によれば、第１９実施形態と同様に、断熱性の向上を図ることができる。
【０１７４】
（第２１実施形態）
次に、第２１実施形態について説明する。第２１実施形態は、外郭部材５０の内部の左右に特定断熱材Ｇが設けられた点で第１９実施形態とは異なる。なお以下に説明する以外の構成は、第１９実施形態と同じである。なお本実施形態の構成は、野菜室２７Ｂ、製氷室扉１１Ｃ、および小冷凍室扉１１Ｄにも適用可能である。
【０１７５】
図３２は、第２１実施形態の主冷凍室扉１１Ｅを示す断面図である。本実施形態では、主冷凍室扉１１Ｅは、特定断熱材Ｇとして、左特定断熱材Ｇ１と右特定断熱材Ｇ２とを有する。左特定断熱材Ｇ１および右特定断熱材Ｇ２は、真空断熱材１３０よりも後方に配置されている。
【０１７６】
左特定断熱材Ｇ１は、外郭部材５０の内部の左端部に設けられている。左特定断熱材Ｇ１は、第１および第２部分１９１ａ，１９１ｂを含む。第１部分１９１ａは、冷蔵庫１を正面から見た場合にスロート６３ｃと重なる。第２部分１９１ｂは、冷蔵庫１を正面から見た場合に真空断熱材１３０の左端部と重なる。第２部分１９１ｂの一部は、左側のリブ６１ｃの内部に挿入されている。
【０１７７】
右特定断熱材Ｇ２は、外郭部材５０の内部の右端部に設けられている。右特定断熱材Ｇ２は、第１および第２部分１９２ａ，１９２ｂを含む。第１部分１９２ａは、冷蔵庫１を正面から見た場合にスロート６３ｄと重なる。第２部分１９２ｂは、冷蔵庫１を正面から見た場合に真空断熱材１３０の右端部と重なる。第２部分１９２ｂの一部は、右側のリブ６１ｄの内部に挿入されている。
【０１７８】
このような構成によれば、主冷凍室２７Ｅの断熱性の向上を図ることができる。また、左特定断熱材Ｇ１および右特定断熱材Ｇ２は、真空断熱材１３０よりも後方に配置されると、真空断熱材１３０を枠体５１の内部に位置決めした後に、左特定断熱材Ｇ１および右特定断熱材Ｇ２を設置し、後面部材５３を取り付けることができる。このような構成によれば、作業性の向上を図ることができる場合がある。
【０１７９】
（第２２実施形態）
次に、第２２実施形態について説明する。第２２実施形態は、真空断熱材１３０に対する保護部材として特定断熱材Ｇが設けられた点で第２１実施形態とは異なる。なお以下に説明する以外の構成は、第２１実施形態と同じである。なお本実施形態の構成は、左冷蔵室扉１１Ａａ、右冷蔵室扉１１Ａｂ、野菜室２７Ｂ、製氷室扉１１Ｃ、および小冷凍室扉１１Ｄにも適用可能である。
【０１８０】
図３３は、第２２実施形態の主冷凍室扉１１Ｅを示す断面図である。本実施形態では、主冷凍室扉１１Ｅは、特定断熱材Ｇとして、左特定断熱材Ｇ１と右特定断熱材Ｇ２とを有する。左特定断熱材Ｇ１および右特定断熱材Ｇ２は、例えば柔軟性を有する。
【０１８１】
左特定断熱材Ｇ１は、真空断熱材１３０の左端部が挿入される窪み２０２を有する。すなわち、左特定断熱材Ｇ１は、真空断熱材１３０の左端部を左方および前後の３方向から抱え込む形状を有する。左特定断熱材Ｇ１の窪み２０２の内面と真空断熱材１３０の左端部との間には、柔軟性を有したシート２０１が挟まれる。シート２０１は、左特定断熱材Ｇ１と比べて表面粗さが小さいシートである。シート２０１は、例えば、ナイロン製であるが、これに限定されない。左特定断熱材Ｇ１の表面粗さが十分に小さい場合、シート２０１は省略されてもよい。
【０１８２】
同様に、右特定断熱材Ｇ２は、真空断熱材１３０の右端部が挿入される窪み２０２を有する。すなわち、右特定断熱材Ｇ２は、真空断熱材１３０の右端部を右方および前後の３方向から抱え込む形状を有する。右特定断熱材Ｇ２の窪み２０２と真空断熱材１３０の右端部との間には、柔軟性を有したシート２０１が挟まれる。シート２０１は、右特定断熱材Ｇ２と比べて表面粗さが小さいシートである。右特定断熱材Ｇ２の表面粗さが十分に小さい場合、シート２０１は省略されてもよい。
【０１８３】
本実施形態では、左特定断熱材Ｇ１および右特定断熱材Ｇ２は、真空断熱材１３０を枠体５１内に設置する前に、真空断熱材１３０に対して取り付けられる。例えば、真空断熱材１３０は、後面部材５３が枠体５１に取り付けられる前に、左特定断熱材Ｇ１および右特定断熱材Ｇ２が取り付けられる。そして、真空断熱材１３０は、左特定断熱材Ｇ１および右特定断熱材Ｇ２が後面部材５３（または枠体５１）に取り付けられることで、左特定断熱材Ｇ１および右特定断熱材Ｇ２と一体に後面部材５３（または枠体５１）に取り付けられる。その後、後面部材５３が枠体５１に取り付けられる。これにより、真空断熱材１３０の外装体が破損する可能性（例えば、外装体の横幅方向の端部が破損する可能性）を低減しつつ、真空断熱材１３０の横幅方向の位置決めを行うことができる。これにより、真空断熱材１３０の取り付けに関する作業性を向上させることができる。なお、主冷凍室扉１１Ｅは、左特定断熱材Ｇ１および右特定断熱材Ｇ２に代えて／加えて、真空断熱材１３０の上端部を保護する上特定断熱材Ｇ３および真空断熱材１３０の下端部を保護する下特定断熱材Ｇ４を有してもよい。
【０１８４】
（変形例）
次に、第１から第２２実施形態に関する変形例について説明する。本変形例では、扉１１のリブ６１の外面に特定断熱材Ｇが取り付けられた点で上述した実施形態とは異なる。なお以下に説明する以外の構成は、上述した実施形態と同じである。
【０１８５】
図３４は、実施形態の変形例の左冷蔵室扉１１Ａａを示す断面図である。本変形例では、左冷蔵室扉１１Ａａは、リブ６１の表面に取り付けられた特定断熱材Ｇを有する。特定断熱材Ｇは、例えば柔軟性を有するシート状に形成されている。特定断熱材Ｇは、リブ６１の表面に沿って鉛直方向または横幅方向に延びている。特定断熱材Ｇは、リブ６１と筐体１０の壁部（例えば、左側壁２３であるが、右側壁２４、上壁２１、または下壁２２でもよい）との間に配置され、リブ６１と筐体１０の壁部との間に隙間を小さくしている。例えば、特定断熱材Ｇの少なくとも一部は、リブ６１のなかで、横幅方向で筐体１０の壁部の内面に面する位置に設けられている。
【０１８６】
このような構成によれば、経年劣化により冷蔵庫本体５の筐体１０に対して扉１１の上下位置や左右位置がずれてしまった場合でも、筐体１０と扉１１との間に生じる隙間の大きさを特定断熱材Ｇによって小さくすることができる。貯蔵室２７の冷気が外部に漏出することを抑制することができる。例えば、特定断熱材Ｇが柔軟性を有すると、冷蔵庫本体５の筐体１０に対して扉１１の上下位置や左右位置がずれてしまった場合、違和感のある音が生じることなどを抑制することができる。
【０１８７】
以上、いくつかの実施形態に係る特定断熱材Ｇについて説明したが、実施形態は上記例に限定されない。例えば、上述した２つ以上の実施形態は、互いに組み合わされて実施されてもよい。また、特定断熱材Ｇは、外郭部材５０の少なくとも一部として設けられてもよい。例えば、特定断熱材Ｇは、枠体５１の少なくとも一部（例えば全部）として設けられてもよい。また、特定断熱材Ｇは、後面部材５３の少なくとも一部（例えば全部）として設けられてもよい。
【０１８８】
以上説明した少なくともひとつの実施形態によれば、エアロゲル、キセロゲルまたはクライオゲルを含み、外郭部材の内部に設けられた内部部品または外郭部材に設けられた特定構造部を重なる断熱部材を有することで、断熱性の向上を図ることができる。
【０１８９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１９０】
１…冷蔵庫、１１，１１Ａａ，１１Ａｂ，１１Ｂ，１１Ｃ，１１Ｄ，１１Ｅ…扉、３５…レール、５０…外郭部材、５１…枠体、５２…前面板（ガラス板）、５３…後面部材、６１…リブ（突出部）６３…スロート（窪み）、８１…第１ケース、８２…第２ケース、８３…補強部材、８４…発泡断熱材、８５…テープ部材、１１０…手掛け用の窪み、１１２…突出部、Ｇ，Ｇ１，Ｇ２，Ｇ３，Ｇ４…特定断熱材。
【図１】
2020143834.tif 000003
【図２】
2020143834.tif 000004
【図３】
2020143834.tif 000005
【図４】
2020143834.tif 000006
【図５】
2020143834.tif 000007
【図６】
2020143834.tif 000008
【図７】
2020143834.tif 000009
【図８】
2020143834.tif 000010
【図９】
2020143834.tif 000011
【図１０】
2020143834.tif 000012
【図１１】
2020143834.tif 000013
【図１２】
2020143834.tif 000014
【図１３】
2020143834.tif 000015
【図１４】
2020143834.tif 000016
【図１５】
2020143834.tif 000017
【図１６】
2020143834.tif 000018
【図１７】
2020143834.tif 000019
【図１８】
2020143834.tif 000020
【図１９】
2020143834.tif 000021
【図２０】
2020143834.tif 000022
【図２１】
2020143834.tif 000023
【図２２】
2020143834.tif 000024
【図２３】
2020143834.tif 000025
【図２４】
2020143834.tif 000026
【図２５】
2020143834.tif 000027
【図２６】
2020143834.tif 000028
【図２７】
2020143834.tif 000029
【図２８】
2020143834.tif 000030
【図２９】
2020143834.tif 000031
【図３０】
2020143834.tif 000032
【図３１】
2020143834.tif 000033
【図３２】
2020143834.tif 000034
【図３３】
2020143834.tif 000035
【図３４】
2020143834.tif 000036